(57)【要約】  【解決手段】  いくつかの実施形態では、陰圧創傷療法デバイスは、陰圧源と、コントローラと、を含み、コントローラは、陰圧源が、陰圧源とコントローラとの間にキャニスタを伴わずに、直接創傷被覆材に流体接続されているとの判定に応答して、陰圧源を第１のモードで動作させるか、別様に陰圧源を第２の異なるモードで動作させるように構成されている。コントローラは、第１の時間の持続期間にわたる陰圧源の活動のレベルが、漏れ状況または閉塞状況のうちの少なくとも１つを満たすとの判定に応答して、漏れまたは閉塞のうちの少なくとも１つの表示を提供することと、活動のレベルが、第１の時間の持続期間の後の第２の時間の持続期間にわたって、漏れ状況または閉塞状況のうちの少なくとも１つを満たさないとの判定に応答して、当該表示の提供を中止することと、を行うようにさらに構成され得る。  【選択図】図７−１
2021520938.tif 000002
【特許請求の範囲】
【請求項１】
陰圧創傷療法デバイスであって、
流体流路を介して創傷に陰圧を提供するように構成された陰圧源であって、前記創傷上に位置付けられた創傷被覆材を含む、陰圧源と、
前記陰圧源が直接前記創傷被覆材に流体接続されている場合、または前記陰圧源が、前記陰圧源によって前記創傷から吸引された少なくとも一部の流体を貯蔵するように構成されたキャニスタを介して前記創傷被覆材に流体接続されている場合に、前記陰圧源を動作させて陰圧を前記創傷に提供するように構成されたコントローラと、を備え、前記コントローラが、
前記陰圧源が直接前記創傷被覆材に流体接続されているとの判定に応答して、前記陰圧源を第１のモードで動作させて陰圧を前記創傷に提供することと、
前記陰圧源が前記キャニスタを介して前記創傷被覆材に流体接続されているとの判定に応答して、前記陰圧源を第２のモードで動作させて陰圧を前記創傷に提供することであって、前記第２のモードが、前記第１のモードとは異なる、提供することと、
前記陰圧源の活動のレベルを判定することと、
第１の時間の持続期間にわたる前記陰圧源の前記活動のレベルが、漏れ状況または閉塞状況のうちの少なくとも１つを満たすとの判定に応答して、前記第１の時間の持続期間の満了後に、前記流体流路内の漏れまたは閉塞のうちの少なくとも１つの第１の表示を提供することと、
前記陰圧源の前記活動のレベルが、前記第１の時間の持続期間の後の第２の時間の持続期間にわたって、前記漏れ状況または前記閉塞状況のうちの前記少なくとも１つを満たさないとの判定に応答して、前記第２の時間の持続期間の満了後に、前記流体流路内の前記漏れまたは前記閉塞のうちの前記少なくとも１つの前記第１の表示の提供を中止することと、を行うようにさらに構成されている、陰圧創傷療法デバイス。
【請求項２】
前記第２の時間の持続期間が、前記第１の時間の持続期間よりも短い、先行する請求項のいずれか一項に記載の装置。
【請求項３】
前記陰圧源の前記活動のレベルが、前記陰圧源のデューティサイクルを含む、先行する請求項のいずれか一項に記載の装置。
【請求項４】
前記漏れ状況または前記閉塞状況のうちの前記少なくとも１つが、前記第１のモードの第１のデューティサイクル閾値、および前記第２のモードの第２のデューティサイクル閾値を含み、前記第１のデューティサイクル閾値が、前記第２のデューティサイクル閾値とは異なり、
前記コントローラが、前記第１および第２の時間の持続期間にわたる前記活動のレベルを、前記第１または第２のデューティサイクル閾値のうちの１つと比較するようにさらに構成されている、請求項３に記載の装置。
【請求項５】
前記第１のデューティサイクル閾値が、前記第２のデューティサイクル閾値よりも大きい、請求項４に記載の装置。
【請求項６】
前記コントローラが、
前記陰圧源を起動解除することなく、前記流体流路内の前記漏れまたは前記閉塞のうちの前記少なくとも１つの前記第１の表示を提供することと、
前記陰圧源の前記活動のレベルが、前記第１の時間の持続期間の後の第３の時間の持続期間にわたって、前記漏れ状況または前記閉塞状況のうちの前記少なくとも１つを満たし続けるとの判定に応答して、前記第３の時間の持続期間の満了後に、前記陰圧源を起動解除することと、を行うようにさらに構成されている、先行する請求項のいずれか一項に記載の装置。
【請求項７】
前記コントローラが、前記第３の時間の持続期間の満了後に前記第１の表示とは異なる第２の表示を提供するようにさらに構成されている、請求項６に記載の装置。
【請求項８】
前記第１の表示が、第１の色の視覚的表示を含み、前記第２の表示が、前記第１の色とは異なる第２の色の視覚的表示を含む、請求項７に記載の装置。
【請求項９】
前記第３の時間の持続期間が、前記第２の時間の持続期間の後である、請求項６〜８のいずれか一項に記載の装置。
【請求項１０】
陰圧源およびコントローラを備える陰圧創傷療法デバイスを動作させる方法であって、前記方法が、前記コントローラによって、
陰圧を創傷に、前記創傷上に位置付けられた創傷被覆材を備える流体流路を介して、前記陰圧源が直接前記創傷被覆材に流体接続されている場合、または前記陰圧源が、前記陰圧源によって前記創傷から吸引された少なくとも一部の流体を貯蔵するように構成されたキャニスタを介して前記創傷被覆材に流体接続されている場合に、提供するように構成された前記陰圧源を動作させることと、
前記陰圧源が直接前記創傷被覆材に流体接続されているとの判定に応答して、前記陰圧源を第１のモードで動作させて陰圧を前記創傷に提供することと、
前記陰圧源が前記キャニスタを介して前記創傷被覆材に流体接続されているとの判定に応答して、前記陰圧源を第２のモードで動作させて陰圧を前記創傷に提供することであって、前記第２のモードが、前記第１のモードとは異なる、提供することと、
前記陰圧源の活動のレベルを判定することと、
第１の時間の持続期間にわたる前記陰圧源の前記活動のレベルが、漏れ状況または閉塞状況のうちの少なくとも１つを満たすとの判定に応答して、前記第１の時間の持続期間の満了後に、前記流体流路内の漏れまたは閉塞のうちの少なくとも１つの第１の表示を提供することと、
前記陰圧源の前記活動のレベルが、前記第１の時間の持続期間の後の第２の時間の持続期間にわたって、前記漏れ状況または前記閉塞状況のうちの前記少なくとも１つを満たさないとの判定に応答して、前記第２の時間の持続期間の満了後に、前記流体流路内の前記漏れまたは前記閉塞のうちの前記少なくとも１つの前記第１の表示の提供を中止することと、を含む、方法。
【請求項１１】
前記第２の時間の持続期間が、前記第１の時間の持続期間よりも短い、先行する請求項のいずれか一項に記載の方法。
【請求項１２】
前記陰圧源の前記活動のレベルが、前記陰圧源のデューティサイクルを含む、先行する請求項のいずれか一項に記載の方法。
【請求項１３】
前記漏れ状況または前記閉塞状況のうちの前記少なくとも１つが、前記第１のモードの第１のデューティサイクル閾値、および前記第２のモードの第２のデューティサイクル閾値を含み、前記第１のデューティサイクル閾値が、前記第２のデューティサイクル閾値とは異なり、
前記方法が、前記コントローラによって、前記第１および第２の時間の持続期間にわたる前記活動のレベルを、前記第１または第２のデューティサイクル閾値のうちの１つと比較することをさらに含む、請求項１２に記載の方法。
【請求項１４】
前記第１のデューティサイクル閾値が、前記第２のデューティサイクル閾値よりも大きい、請求項１３に記載の方法。
【請求項１５】
前記コントローラによって、
前記陰圧源を起動解除することなく、前記流体流路内の前記漏れまたは前記閉塞のうちの前記少なくとも１つの前記第１の表示を提供することと、
前記陰圧源の前記活動のレベルが、前記第１の時間の持続期間の後の第３の時間の持続期間にわたって、前記漏れ状況または前記閉塞状況のうちの前記少なくとも１つを満たし続けるとの判定に応答して、前記第３の時間の持続期間の満了後に、前記陰圧源を起動解除することと、をさらに含む、先行する請求項のいずれか一項に記載の方法。
【請求項１６】
前記コントローラによって、前記第３の時間の持続期間の満了後に前記第１の表示とは異なる第２の表示を提供することをさらに含む、請求項１５に記載の方法。
【請求項１７】
前記第１の表示が、第１の色の視覚的表示を含み、前記第２の表示が、前記第１の色とは異なる第２の色の視覚的表示を含む、請求項１６に記載の方法。
【請求項１８】
前記第３の時間の持続期間が、前記第２の時間の持続期間の後である、請求項１５〜１７のいずれか一項に記載の方法。
【発明の詳細な説明】
【技術分野】
【０００１】
本明細書に開示される実施形態または構成は、局所陰圧（ＴＮＰ）療法を用いて、創傷を被覆かつ治療するための方法および装置に関する。例えば、限定されないが、本明細書に開示されるいずれかの実施形態は、減圧で創傷を治療することに関し得る。別の非限定的な例として、本明細書に開示される実施形態のいずれかは、ＴＮＰシステムの動作を制御するための装置および方法に関し得る。
【背景技術】
【０００２】
多くの異なる種類の創傷被覆材が、ヒトまたは動物の治癒プロセスを援助するものとして知られている。様々な種類の創傷被覆材には、様々な種類の材料および層、例えば、ガーゼパッド、またはフォームパッドといったパッドが含まれる。局所陰圧（「ＴＮＰ」）療法は、真空補助閉鎖療法、陰圧創傷療法、または減圧創傷療法とも称されることがあり、創傷の治癒率を改善するための有益な機構として広く認識されている。こうした療法は、切開創傷、開放創、および腹部創などの広範な創傷に適用することができる。
【０００３】
ＴＮＰ療法は、組織浮腫を軽減し、血流を促し、肉芽組織の形成を促進させ、過剰な滲出物を除去することによって創傷の閉鎖および治癒を促し、細菌負荷を低減し、さらに創傷への感染の可能性を低減し得る。その上、ＴＮＰ療法は、創傷の外部障害を減らし、より迅速な治癒を促す。
【発明の概要】
【発明が解決しようとする課題】
【０００４】
いくつかの実施形態では、陰圧創傷療法デバイスは、陰圧を創傷に、創傷上に位置付けられた創傷被覆材を含む流体流路を介して提供するように構成された陰圧源と、陰圧源が直接創傷被覆材に流体接続されている場合、または陰圧源が、陰圧源によって創傷から吸引された少なくとも一部の流体を貯蔵するように構成されたキャニスタを介して創傷被覆材に流体接続されている場合に、陰圧源を動作させて陰圧を創傷に提供するように構成されたコントローラと、を含む。コントローラは、陰圧源が直接創傷被覆材に流体接続されているとの判定に応答して、陰圧源を第１のモードで動作させて陰圧を創傷に提供することと、陰圧源がキャニスタを介して創傷被覆材に流体接続されているとの判定に応答して、陰圧源を第２のモードで動作させて陰圧を創傷に提供することであって、第２のモードが、第１のモードとは異なる、提供することと、陰圧源の活動のレベルを判定することと、第１の時間の持続期間にわたる陰圧源の活動のレベルが、漏れ状況または閉塞状況のうちの少なくとも１つを満たすとの判定に応答して、第１の時間の持続期間の満了後に、流体流路内の漏れまたは閉塞のうちの少なくとも１つの第１の表示を提供することと、陰圧源の活動のレベルが、第１の時間の持続期間の後の第２の時間の持続期間にわたって、漏れ状況または閉塞状況のうちの少なくとも１つを満たさないとの判定に応答して、第２の時間の持続期間の満了後に、流体流路内の漏れまたは閉塞のうちの少なくとも１つの第１の表示の提供を中止することと、を行うようにさらに構成され得る。
【０００５】
ある特定の実施形態では、先行する段落に記載の装置は、以下の特徴のうちの１つ以上を含み得る。第２の時間の持続期間は、第１の時間の持続期間よりも短い場合がある。陰圧源の活動のレベルは、陰圧源のデューティサイクルを含み得る。漏れ状況または閉塞状況のうちの少なくとも１つは、第１のモードの第１のデューティサイクル閾値、および第２のモードの第２のデューティサイクル閾値を含むことができ、第１のデューティサイクル閾値は、第２のデューティサイクル閾値とは異なる。コントローラは、第１および第２の時間の持続期間にわたる活動のレベルを、第１または第２のデューティサイクル閾値のうちの１つと比較するようにさらに構成され得る。第１のデューティサイクル閾値は、第２のデューティサイクル閾値よりも大きい場合がある。
【０００６】
いくつかの実装例では、先行する段落のいずれかに記載の装置は、以下の特徴のうちの１つ以上を含み得る。コントローラは、陰圧源を起動解除することなく、流体流路内の漏れまたは閉塞のうちの少なくとも１つの第１の表示を提供するようにさらに構成され得る。コントローラは、陰圧源の活動のレベルが、第１の時間の持続期間の後の第３の時間の持続期間にわたって、漏れ状況または閉塞状況のうちの少なくとも１つを満たし続けるとの判定に応答して、第３の時間の持続期間の満了後に、陰圧源を起動解除するように構成され得る。コントローラは、第３の時間の持続期間の満了後に第１の表示とは異なる第２の表示を提供するようにさらに構成され得る。第１の表示は、第１の色の視覚的表示を含むことができ、第２の表示は、第１の色とは異なる第２の色の視覚的表示を含むことができる。第３の時間の持続期間は、第２の時間の持続期間の後であってもよい。
【０００７】
いくつかの実施形態では、１つ以上の先行する段落に記載される特徴の任意の組み合わせを有するデバイスを使用するか、または動作させる方法が提供される。
【０００８】
ある特定の実施形態では、陰圧源およびコントローラを含む陰圧創傷療法デバイスを動作させる方法は、コントローラによって、陰圧を創傷に、創傷上に位置付けられた創傷被覆材を備える流体流路を介して、陰圧源が直接創傷被覆材に流体接続されている場合、または陰圧源が、陰圧源によって創傷から吸引された少なくとも一部の流体を貯蔵するように構成されたキャニスタを介して創傷被覆材に流体接続されている場合に、提供するように構成された陰圧源を動作させることと、陰圧源が直接創傷被覆材に流体接続されているとの判定に応答して、陰圧源を第１のモードで動作させて陰圧を創傷に提供することと、陰圧源がキャニスタを介して創傷被覆材に流体接続されているとの判定に応答して、陰圧源を第２のモードで動作させて陰圧を創傷に提供することであって、第２のモードが、第１のモードとは異なる、提供することと、陰圧源の活動のレベルを判定することと、第１の時間の持続期間にわたる陰圧源の活動のレベルが、漏れ状況または閉塞状況のうちの少なくとも１つを満たすとの判定に応答して、第１の時間の持続期間の満了後に、流体流路内の漏れまたは閉塞のうちの少なくとも１つの第１の表示を提供することと、陰圧源の活動のレベルが、第１の時間の持続期間の後の第２の時間の持続期間にわたって、漏れ状況または閉塞状況のうちの少なくとも１つを満たさないとの判定に応答して、第２の時間の持続期間の満了後に、流体流路内の漏れまたは閉塞のうちの少なくとも１つの第１の表示の提供を中止することと、を含む。
【０００９】
いくつかの実装例では、先行する段落に記載の方法は、以下の特徴のうちの１つ以上を含み得る。第２の時間の持続期間は、第１の時間の持続期間よりも短い場合がある。陰圧源の活動のレベルは、陰圧源のデューティサイクルを含み得る。漏れ状況または閉塞状況のうちの少なくとも１つは、第１のモードの第１のデューティサイクル閾値、および第２のモードの第２のデューティサイクル閾値を含み、第１のデューティサイクル閾値は、第２のデューティサイクル閾値とは異なる。本方法は、コントローラによって、第１および第２の時間の持続期間にわたる活動のレベルを、第１または第２のデューティサイクル閾値のうちの１つと比較することをさらに含み得る。第１のデューティサイクル閾値は、第２のデューティサイクル閾値よりも大きい場合がある。
【００１０】
ある特定の実施形態では、先行する段落のいずれかに記載の方法は、以下の特徴のうちの１つ以上を含み得る。本方法は、コントローラによって、陰圧源を起動解除することなく、流体流路内の漏れまたは閉塞のうちの少なくとも１つの第１の表示を提供することと、陰圧源の活動のレベルが、第１の時間の持続期間の後の第３の時間の持続期間にわたって、漏れ状況または閉塞状況のうちの少なくとも１つを満たし続けるとの判定に応答して、第３の時間の持続期間の満了後に、陰圧源を起動解除することと、を含み得る。本方法は、コントローラによって、第３の時間の持続期間の満了後に第１の表示とは異なる第２の表示を提供することを含み得る。第１の表示は、第１の色の視覚的表示を含むことができ、第２の表示は、第１の色とは異なる第２の色の視覚的表示を含む。第３の時間の持続期間は、第２の時間の持続期間の後であってもよい。
【図面の簡単な説明】
【００１１】
本開示の他の特徴および利点は、添付図面と共に下記の詳細な説明から明らかになるであろう。
【００１２】
【図１】図１は、いくつかの実施形態による、ポンプアセンブリを含む減圧創傷療法システムを図示している。
【図２Ａ】図２Ａは、いくつかの実施形態による、キャニスタレス動作モードで動作するデュアルモード減圧創傷療法システムを図示している。
【図２Ｂ】図２Ｂは、いくつかの実施形態による、キャニスタ動作モードで動作するデュアルモード減圧創傷療法システムを図示している。
【図３Ａ】および
【図３Ｂ】図３Ａおよび図３Ｂは、いくつかの実施形態によるデュアルモード減圧創傷療法装置を図示している。
【図４Ａ】および
【図４Ｂ】図４Ａおよび図４Ｂは、いくつかの実施形態によるデュアルモード減圧創傷療法装置を図示している。
【図５】図５は、いくつかの実施形態によるデュアルモード減圧創傷療法装置を制御するためのプロセスを図示している。
【図６Ａ】〜
【図６Ｄ】図６Ａ〜図６Ｄは、いくつかの実施形態による、漏れ状況または閉塞状況の検出および表示を図示している。
【図７】図７は、いくつかの実施形態による、閉塞および漏れの検出および表示のフローチャートを図示している。
【図８Ａ】および
【図８Ｂ】図８Ａおよび図８Ｂは、いくつかの実施形態による、閉塞警告および漏れ警告の段階的な上昇を図示している。
【発明を実施するための形態】
【００１３】
概要
このセクションまたは本明細書のいずれかの部分に開示された実施形態は、ポンプ、ならびに創傷被覆構成要素および装置を含む、陰圧源を用いて創傷を治療する装置および方法に関する。創傷オーバーレイおよびパッキング材料を含む装置および構成要素がある場合、このセクションまたは本明細書のいずれかの部分では集合的に被覆材として称される場合がある。
【００１４】
本明細書全体を通して、創傷に関して言及することが理解されるであろう。創傷という用語は広く解釈され、皮膚が断裂、切開、もしくは穿孔される、または外傷によって挫傷が引き起こされる開放創および閉鎖創、あるいは患者の皮膚における任意の他の表面もしくは他の状況または欠陥、あるいは減圧治療によって利益を得る他のものを包含することを理解されたい。よって、創傷は、流体が生成されることもされないこともある、組織の任意の損傷領域として広く定義される。そのような創傷の例としては、腹部創傷、または手術、外傷、胸骨切開、筋膜切開、あるいは他の状況のいずれかの結果としての他の大規模または切開性の創傷、裂開創傷、急性創傷、慢性創傷、亜急性創傷および裂開創傷、外傷性創傷、フラップおよび皮膚移植片、裂傷、擦傷、挫傷、火傷、電気火傷、糖尿病性潰瘍、褥瘡性潰瘍、ストーマ、術創、外傷性潰瘍および静脈性潰瘍などが挙げられるが、それらに限定されない。
【００１５】
本開示の実施形態は、概して、局所陰圧（ＴＮＰ）または減圧療法システムで使用するように適用可能である。手短に言えば、陰圧創傷療法は、組織の浮腫を減少させ、血流および顆粒組織形成を促し、または、過度の滲出液を除去することによって、「治癒が困難な」創傷の多くの形態を閉鎖および治癒するのを支援し、細菌負荷（および、それゆえ感染リスク）を低減することができる。加えて、この療法により、創傷の障害を少なくし、より迅速な治癒につなげることができる。ＴＮＰ療法システムはまた、流体を除去することによって、外科的に閉じられた創傷の治癒を支援することができる。いくつかの実施形態では、ＴＮＰ療法は、閉鎖の反対位置の組織を安定化するのに役立つ。ＴＮＰ療法のさらなる有益な使用は、過剰な流体を除去することが重要であり、組織の生存度を確保するために移植片が組織に近接していることが求められる、移植片およびフラップにおいて見出すことができる。
【００１６】
デュアルモード陰圧システム
図１は、いくつかの実施形態による、陰圧もしくは減圧創傷治療（またはＴＮＰ）システム１００を図示している。システム１００は、創傷腔１１０の内側に留置される創傷充填物１３０を備え、創傷腔１１０は創傷カバー１２０によってシールされる。いくつかの実施形態では、創傷充填物１３０、創傷カバー１２０、または接触層（図示せず）などの任意の他の構成要素のうちの１つ以上が、創傷被覆材を構成する。システム１００は、創傷に減圧を提供するように構成された陰圧創傷療法デバイス、装置、またはポンプアセンブリ１５０を含む。例えば、少なくとも１つの内腔を有する導管１４０は、ポンプアセンブリ１５０と創傷との間の流体流路を提供することができる。
【００１７】
図２Ａおよび図２Ｂは、いくつかの実施形態による、減圧創傷療法システムがキャニスタありで、およびキャニスタなしで（例えば、キャニスタモードおよびキャニスタレスモードで）動作するように構成され得ることを図示している。図２Ａは、直接ポンプアセンブリ１５０に接続された創傷被覆材を有するＴＮＰシステム２００Ａの実施形態（例えば、キャニスタレスモード）を示す。図２Ｂは、創傷被覆材とポンプアセンブリ１５０との間に介在するキャニスタ２３０を有するＴＮＰシステム２００Ｂの実施形態（例えば、キャニスタモード）を示す。創傷が治癒過程の初期段階にあり、かなりの量の滲出物が滲出する、創傷への陰圧創傷療法の適用開始時には、減圧創傷療法システムはキャニスタありで動作し得る。この動作モードでは、陰圧創傷療法システムは、Ｓｍｉｔｈ＆Ｎｅｐｈｅｗが販売するフォームもしくはガーゼＲＥＮＡＳＹＳ（商標）被覆材または任意の他の好適な被覆材と共に動作し得る。キャニスタありの減圧創傷療法システムの動作は、本明細書では、「ＲＥＮＡＳＹＳ」、「ＲＥＮＡＳＹＳモード」、またはその派生語としてみなされる場合がある。創傷が治癒過程を通して回復し、より少量の滲出物を滲出し始めるにつれ、キャニスタが取り外されてもよく、陰圧創傷療法システムは、被覆材内に創傷滲出物を保持する、Ｓｍｉｔｈ＆Ｎｅｐｈｅｗが販売するＰＩＣＯ（商標）被覆材または任意の他の好適な被覆材などの吸収性被覆材と共に動作してもよい。キャニスタなしの減圧創傷療法システムの動作は、本明細書では、「ＰＩＣＯ」、「ＰＩＣＯモード」、またはその派生語としてみなされる場合がある。
【００１８】
ポンプアセンブリ１５０は、１つ以上のスイッチまたはボタン２０２と、１つ以上のインジケータ２０４と、制御ボード２０６と、を含むことができ、制御ボード２０６は、１つ以上のコントローラ、１つ以上のメモリなどを含み得る。１つ以上のボタン２０２および１つ以上のインジケータ２０４（ユーザインターフェースを集合的に構成する）は、１つ以上のコントローラおよびメモリを含むことができる制御ボード２０６と電気通信することができる。１つ以上のボタン２０２は、ポンプアセンブリ１５０の動作を制御するための任意の好適な目的に使用できる。例えば、１つ以上のボタン２０２は、ポンプシステム１５０を起動し、ポンプアセンブリ１５０を一時停止させ、１つ以上の表示２０４のうちの１つ以上といった、システムインジケータをクリアするのに使用され得る。１つ以上のボタン２０２は、タッチパッド、タッチスクリーン、キーボードなどの任意のタイプのスイッチまたはボタンであってもよい。いくつかの実施形態では、１つ以上のボタン２０２はプレスボタンであり得る。様々な実装例では、１つ以上のボタン２０２は、タッチスクリーンインターフェース上に含めることができる。
【００１９】
ポンプアセンブリ１５０は、コネクタ２０１を受けるように適合されたコネクタポート２０３を含み得る。コネクタ２０１は、上に記載されるように、ポンプアセンブリ１５０に取り付けられたキャニスタまたは創傷被覆材の一部であり得る。コネクタ２０１は、コネクタポート２０３に取り外し可能に取り付けられ得る。いくつかの構成では、第１のコネクタ２０１はポンプアセンブリ１５０から取り外され、次にポンプアセンブリ１５０に取り付けられる第２のコネクタ２０１と交換され得る。例えば、ＲＥＮＡＳＹＳ（商標）被覆材に接続される第１のコネクタ２０１は、コネクタポート２０３から取り外され、ＰＩＣＯ（商標）被覆材に接続される第２のコネクタ２０１と交換され得、それによって、ポンプアセンブリ１５０をキャニスタ動作モードからキャニスタレス動作モードに切り替えることを可能にする。以下でより詳細に説明するように、コネクタ２０１および／またはポンプアセンブリ１５０は、ポンプアセンブリ１５０がキャニスタまたはキャニスタレスコネクタ２０１がコネクタポート２０３に取り付けられているかどうかを検出できるように適合され得る。いくつかの構成では、ポンプアセンブリ１５０の動作は、ポンプアセンブリ１５０がキャニスタを検出するかどうか、または、キャニスタレスコネクタ２０１がコネクタポート２０３に接続されているかどうかに応じて調節され得る。
【００２０】
いくつかの実施形態では、コネクタポート２０３は、１つ以上のコントローラを含むことができる制御ボード２０６と電気通信する１つ以上のコネクタスイッチを含み得る。１つ以上のコネクタスイッチは、キャニスタの１つ以上のコネクタまたは被覆材と係合するように構成され得る。いくつかの実施形態では、１つ以上のコネクタスイッチは、有利なことに、ポンプアセンブリ１５０（例えば、制御ボード２０６）がキャニスタ接続と被覆材接続とを区別することを可能にする。いくつかの実施形態では、コネクタ２０１の１つ以上が、コネクタポート２０３の１つ以上のコネクタスイッチに加えて、または代わりに、１つ以上のコネクタスイッチを含み得る。本明細書で意図されるコネクタスイッチは、機械的、電気、光学的、および／もしくは磁気、または任意の他の好適なスイッチであってもよく、センサなどを含んでもよい。コネクタスイッチは、電気回路を閉じるかまたは開くように構成されてもよく、それによって、制御ボード２０６は、コネクタスイッチが係合または係合解除されているかどうかを検出できるようになる。例えば、以下でより詳細に説明するように、コネクタポート２０３は、キャニスタをコネクタポート２０３に結合するコネクタ２０１の一部分によって作動するコネクタスイッチを含み得る。コネクタスイッチは、スイッチが被覆材をコネクタポート２０３に結合するコネクタ２０１によって作動されないようにさらに構成されてもよく、それによって、制御ボード２０６は、キャニスタまたは被覆材がコネクタポート２０３に取り付けられているかどうかを検出することを可能にする。いくつかの構成では、ポンプアセンブリ１５０は、コネクタスイッチが被覆材をコネクタポート２０３に結合するコネクタ２０１によって起動され、キャニスタをコネクタポート２０３に結合するコネクタ２０１によっては起動されないように構成され得る。
【００２１】
続いて図２Ａを参照して、１つ以上のインジケータ２０４は、ポンプアセンブリ１５０の１つ以上の動作状況または故障状況を示し得る。１つ以上のインジケータ２０４はそれぞれ、異なる動作状況または故障状況に関する表示を提供できる。いくつかの実装例では、１つ以上のインジケータ２０４の活動中の（例えば、点灯）視覚的インジケータは、ポンプアセンブリ１５０の特定の動作状況を表し得る。例えば、１つ以上のインジケータ２０４の被覆材インジケータは、ＴＮＰシステム１００の漏洩または漏れの有無について表示を提供でき、活動中の被覆材インジケータは漏れを表すことができる。別の例として、１つ以上のインジケータ２０４の被覆材容量インジケータは、創傷被覆材またはキャニスタの流体残容量についての表示を提供でき、活動中の被覆材容量インジケータは、創傷被覆材またはキャニスタが容量に到達しているか、または近いことを表すことができる。さらに別の例として、１つ以上のインジケータ２０４の電池インジケータは、１つ以上の電池などの電源２０８の残量または寿命に関する表示を提供することができ、活動中の電源インジケータは低容量を表すことができる。いくつかの実施形態では、１つ以上のインジケータ２０４は、ポンプアセンブリ１５０の上記の動作状況または故障状況またはポンプアセンブリ１５０のその他の動作状況または故障状況の１つ以上の組み合わせを表すことができる。
【００２２】
いくつかの実装例では、１つ以上のインジケータ２０４はアイコンであってもよい。例えば、１つ以上のインジケータ２０４は、ポンプアセンブリ１５０のＬＥＤ（図示せず）などの照射源を介して起動する（例えば、点灯）ことができる。１つ以上のインジケータ２０４は、例えば、異なる色、２つの異なる色（例えば、２つのインジケータが同じ色を共有できる）、または同一色であってもよい。いくつかの実施形態では、ポンプアセンブリ１５０は、ユーザに様々な動作状況を信号で知らせるように構成される、視覚、聴覚、触覚、触知、またはその他のタイプのインジケータもしくは警報を含み得る。こうした状況には、システムオン／オフ、スタンバイ、一時停止、通常動作、被覆材の問題、漏れ、エラーなどが含まれる。インジケータには、スピーカ、ディスプレイ、光源など、またはその組み合わせが含まれてもよい。様々な実装例では、１つ以上のボタンインジケーター２０４をタッチスクリーンインターフェース上に含めることができる。
【００２３】
ポンプアセンブリ１５０は、１つ以上の電池セルまたは任意の他の好適な電源などの電源２０８によって電力供給され得る。電池セルは、リチウムイオン、リチウムポリマー、リン酸鉄リチウム、鉛酸、ニッケル系、アルカリ性などのうちの１つ以上の任意の組み合わせを含み得る。ポンプアセンブリ１５０はまた、電動機などのアクチュエータ２１４によって電力供給されるポンプ２１２を含み得る、陰圧源２１０を含み得る。いくつかの実施形態では、アクチュエータ２１４はポンプ２１２に組み込まれる。陰圧源２１０は、ロータリーダイヤフラムポンプまたは他のダイヤフラムポンプ、圧電ポンプ、蠕動ポンプ、ピストンポンプ、ロータリーベーンポンプ、液封式ポンプ、スクロールポンプ、圧電変換器によって動作するダイヤフラムポンプ、ボイスコイルアクチュエータによって動作するポンプ、または他の任意の好適なポンプもしくはマイクロポンプ、あるいは上記のものの任意の組み合わせであってもよく、ポンプアセンブリ１５０はまた、流体流路の圧力を計測する１つ以上の圧力センサ２１６を含み得る。電源２０８は、陰圧源２１０、圧力センサ２１６、制御ボード２０６、ボタン２０２、およびインジケータ２０４のうちの１つ以上を含む、ポンプアセンブリ１５０の電気機械部品に電力を供給し得る。
【００２４】
ポンプアセンブリ１５０は、ポンプアセンブリ１５０を創傷被覆材に接続する入口２１８をさらに含み得る。例えば、入口２１８は、流体流路を介して創傷被覆材と流体連通するコネクタポート２０３およびコネクタ２０１に接続され得る。
【００２５】
ポンプアセンブリ１５０はまた、出口２２０を含み得る。出口２２０は、気体を大気に通気または排気することができる。いくつかの実施形態では、フィルタ（図示せず）は、出口２２０と大気との間に介在し得る。フィルタは、気体を大気に通気する前に、気体を濾過することができる。フィルタは、細菌フィルタ、臭気フィルタ、またはその任意の組み合わせであってもよい。いくつかの実施形態では、雑音減衰構成要素などの減衰構成要素（図示せず）は、出口２２０と大気との間に介在し得る。減衰構成要素は、動作中にポンプアセンブリ１５０によって生成される騒音を低減することができる。いくつかの実装例では、ポンプアセンブリ１５０は、陰圧療法の提供に関連する情報などの情報を１つ以上の遠隔デバイスに伝達できる。こうした通信は、有線または無線インターフェースを使用して実施することができる。
【００２６】
図２Ｂは、キャニスタ２３０が入口２１８と創傷被覆材との間の流体流路内に追加で位置付けられた、図２Ａのポンプアセンブリ１５０を図示している。図示される実施形態では、コネクタ２０１はキャニスタ２３０をコネクタポート２０３に流体接続する。以下でさらに考察するように、コネクタ２０１は、コネクタポート２０３が創傷被覆材に直接接続されているかどうか、または、キャニスタ２３０がコネクタ２０３と創傷被覆材の間に配置されているかどうかについて、ポンプアセンブリ１５０に信号を送るように構成され得る。
【００２７】
いくつかの実施形態では、制御ボード２０６（例えば、コントローラ）は、ポンプアセンブリがキャニスタまたは被覆材に接続されているかどうかに応じて、陰圧創傷療法の１つ以上の動作パラメータを調節する。例えば、キャニスタレスモードでは、創傷に与えられる陰圧のレベルは、創傷がより少量の流体を滲出しているため、キャニスタモードと比較して低減され得る。別の例として、１つ以上の動作状況の検出を有効、無効、または調節することができる。例えば、キャニスタレスモードでは、キャニスタのフル検出（または閉塞検出）および警報を無効にすることができ、代わりに被覆材のフル検出および警報を有効にすることができる。
【００２８】
いくつかの実施形態では、ポンプアセンブリ１５０は、１つ以上のディスプレイ、インジケータ、ライト、ボタン、スイッチ、スピーカ、振動要素などのユーザインターフェースを含む。ユーザインターフェースは、キャニスタの検出に基づいて調節することができる。例えば、キャニスタモードでは、ユーザインターフェースは、キャニスタが満杯になるとユーザに警告するインジケータを含み得る。キャニスタレスモードでは、このインジケータは、被覆材が満杯になるとユーザに警告するインジケータで置き換えることができる。いくつかの実施形態では、インジケータはアイコンである。
【００２９】
図３Ａは、いくつかの実施形態による、キャニスタモードにおけるデュアルモードＴＮＰシステムの実施形態の斜視図３００Ａを描いている。図示されるシステムでは、キャニスタ１６０Ｇは、（本明細書に記載のポンプアセンブリ１５０と同様であり得る）ポンプアセンブリ１５０Ｇに取り付けられている。ポンプアセンブリ１５０Ｇは、キャニスタ１６０Ｇに摺動可能に結合するように適合され得る。キャニスタ１６０Ｇは、入口１６１Ｇを有することができ、その中を通って創傷滲出物がキャニスタ１６０Ｇに入り得る。いくつかの実施形態では、図３Ｂに関連して図示されるように、ポンプアセンブリ１５０Ｇを後ろに摺動させて、ポンプアセンブリ１５０Ｇをキャニスタ１６０Ｇから係合解除することができる。
【００３０】
図３Ｂは、いくつかの実施形態による、キャニスタ１６０Ｇがポンプアセンブリ１５０Ｇから係合解放された状態のＴＮＰシステムの実施形態の斜視図３００Ｂを描いている。場合によっては、ポンプアセンブリ１５０Ｇは、キャニスタレスモードで動作し得る。上述のように、ポンプアセンブリ１５０Ｇは、コネクタ２０１に接続するように適合されたコネクタポート２０３Ｇを有することができる（図２Ａおよび図２Ｂに概略的に示す）。上で考察されるように、コネクタ２０１は、キャニスタコネクタであっても、キャニスタレスコネクタであってもよい。コネクタポート２０３Ｇは、ポンプアセンブリ１５０Ｇ内に収容される陰圧源（真空ポンプなど）に流体接続され得る。コネクタポート２０３Ｇは、ポンプアセンブリ１５０Ｇの陰圧源とコネクタポート２０３Ｇに接続されたコネクタ２０１との間の流路を確立できる。ポンプアセンブリ１５０Ｇは、コネクタポート２０３Ｇに取り付けられたキャニスタコネクタ２６０Ｇまたはキャニスタレスコネクタに陰圧を提供することができる。キャニスタ１６０Ｇは、ポンプアセンブリ１５０Ｇがキャニスタ１６０Ｇ上に摺動可能に装着されると、コネクタポート２０３Ｇに流体接続するキャニスタコネクタ２６０Ｇを有することができる。本明細書に記載されるように、キャニスタ１６０Ｇを装着する（摺動可能に装着する）ことにより、キャニスタが接続されていることを示すように構成されたスイッチを起動することができる。逆に、キャニスタ１６０Ｇを装着解除することにより、スイッチを起動解除することができる。キャニスタ１６０Ｇは、陰圧がキャニスタコネクタ２６０Ｇを介してキャニスタ１６０Ｇに適用されると、創傷滲出物がキャニスタ１６０Ｇに入る入口１６１Ｇを有することができる。
【００３１】
引き続き図３Ａおよび図３Ｂを参照すると、ポンプアセンブリ１５０Ｇは、ポンプアセンブリ１５０Ｇの圧力選択を可能にするダイヤル３２７Ｇを含み得る（図４Ａおよび図４Ｂにも図示）。ポンプアセンブリ１５０Ｇによって供給される陰圧の大きさは、ダイヤル３２７Ｇを回転させることによって調節され得る。ダイヤル３２７Ｇは、２つ以上の独立した設定に切り換えるように適合され得る。例えば、ダイヤル３２７Ｇは、ポンプアセンブリ１５０Ｇによって提供される陰圧を３つの設定（例えば、−６０ｍｍＨｇ、−８０ｍｍＨｇ、および−１２０ｍｍＨｇ）のうちの１つに設定できる３つの独立した設定を有し得る。ポンプアセンブリ１５０Ｇは、ストラップまたは留め金の固着部位として使用できるバー１５９Ｇを含み、それによってポンプアセンブリ１５０Ｇがバー１５９Ｇに取り付けられたストラップから吊り下げられることを可能にする。キャニスタ１６０Ｇおよびポンプアセンブリ１５０Ｇが共に接続されると、キャニスタ１６０Ｇの頂面の傾斜部分は、ポンプアセンブリ１５０Ｇの底面の傾斜部分上に支持され、それによって、ポンプアセンブリ１５０Ｇがバー１５９Ｇから吊り下げられると、ポンプアセンブリ１５０Ａ上のキャニスタ１６０Ｇの保持を強化するオーバーハングを形成し得る。ポンプアセンブリ１５０Ｇは、ポンプアセンブリ１５０Ｇのハウジング１５３Ｇ上に１つ以上のアイコンを含み得る。アイコンは、ポンプアセンブリ１５０Ｇのハウジング１５３Ｇ内に配置された光源によって後ろから照らされ得る。
【００３２】
デュアルモード陰圧システムの動作
いくつかの実施形態では、図４Ａおよび図４Ｂに図示されるシステムを含む、本明細書に開示される実施形態のいずれかのデュアルモードＴＮＰシステムは、臨床医および／または患者などのユーザによって動作されても、使用されてもよい。特に、ＴＮＰシステムの使用は、患者および治療される創傷の査定で始めることができる。これに続いて、治療のキャニスタモードまたはキャニスタレスモード、および選択されたモードで使用される被覆材またはキャニスタサイズの最初の選択が行われてもよい。例えば、小さなもしくは中程度のフォームまたは中程度のガーゼ被覆材をキャニスタモードで使用することができる。別の例として、小さな（およそ１０×２０ｃｍ）、中程度の（およそ１５×１５ｃｍ）、または大きな（およそ２０×２０ｃｍ）多層吸収性被覆材をキャニスタレスモードで使用することができる。
【００３３】
動作モードは、創傷が十分に治癒した後にキャニスタモードからキャニスタレスモードに切り替えて、より少ない容積の流体を滲出させるなど、臨床的に適切な場合、使用中いつでも変更することができ、これは、吸収性被覆材によって管理され得る。キャニスタモードからキャニスタレスモードへの切り替えには、陰圧源をオフにすること、キャニスタおよび被覆材を取り外すこと、適切な異なる被覆材を適用して陰圧源に接続すること、ならびに療法を再開するために陰圧源をオンにすることが含まれ得る。キャニスタレスモードからキャニスタモードへの切り替えには、陰圧源をオフにすること、被覆材を取り外すこと、適切な異なる被覆材を適用すること、目標陰圧のレベルまたは設定値を選択すること、キャニスタを取り付けて被覆材をキャニスタに接続すること、ならびに療法を再開するために陰圧源をオンにすることが含まれ得る。ＴＮＰシステムは、どのモードで動作しているかを自動的に検出することができる。
【００３４】
場合によっては、目標陰圧設定値は、キャニスタモードでのみ選択され得る。例えば、キャニスタモードでは、本明細書に記載されるように、−６０ｍｍＨｇ、−８０ｍｍＨｇ、−１２０ｍｍＨｇとして選択され得る。設定値は、本明細書に記載されるように、ダイヤルまたはスイッチを使用して選択することができる。いくつかの実装例では、追加のまたは代替的な設定値の値を使用することができる。キャニスタレスモードでは、設定値は、−８０ｍｍＨｇなどの好適な陰圧にプリセットすることができる。
【００３５】
任意選択の運搬ストラップをＴＮＰデバイスに取り付けることができる。例えば、運搬ストラップは、デバイスハウジング内の１つ以上のスロットを通して取り付けられ得る。ストラップの長さは、必要に応じて調節され得る。デバイスは、ストラップから直立または懸吊させて位置付けることができる。
【００３６】
キャニスタモードが望ましい場合、キャニスタは、例えば、本明細書に記載されるＴＮＰデバイス上に摺動させることによって設置することができる（これにより、キャニスタ動作モードを示すように構成された電気機械式スイッチを起動することができる）。被覆材は、キャニスタに接続され得る。例えば、被覆材は、クイッククリックコネクタ、ルアーコネクタなどを使用して接続され得る。本明細書に記載されるように、被覆材は、入口１６１Ｇなどのキャニスタ入口に接続され得る。
【００３７】
キャニスタレスモードでは、被覆材は、ＴＮＰデバイスに接続され得る。例えば、被覆材は、コネクタポート２０３Ｇなどの、デバイスのコネクタポートに接続され得る。被覆材は、ルアーコネクタ、クイッククリックコネクタなどを使用して接続され得る。
【００３８】
被覆材が適切に接続された後、ＴＮＰ療法の提供を開始することができる。例えば、ユーザは、図４Ａおよび図４Ｂに図示されるスイッチ４３０などのスイッチを起動し得る。場合によっては、ユーザは、スイッチを摺動させるか、スイッチを押圧するなどして、陰圧源を起動することができる。デバイスは、例えば、図４Ａおよび図４Ｂに図示され、かつ本明細書に記載さえるインジケータ４１８を点滅させることによって、療法が活動中であるという表示を提供することができる。デバイスは、陰圧設定値に到達したという表示を提供し得る。例えば、インジケータ４１８は、本明細書に記載されるように、点滅を停止し、無地に変わる場合がある。
【００３９】
いつでも、ＴＮＰ療法の提供を一時停止または停止することができる。本明細書に記載されるように、スイッチを動作させることによって、療法を一時停止することができる。例えば、ＴＮＰ療法を一時停止してキャニスタを変更することができる。キャニスタが完全にまたはほぼ完全に満たされている場合、キャニスタを少なくとも週に１回、またはそれよりも早く変更することができる。別の例として、被覆材が完全にまたはほぼ完全に満たされている場合、ＴＮＰ療法を一時停止して被覆材を変更することができる。また別の例として、ユーザがシャワーを浴びることがきるように、ＴＮＰ療法を一時停止することができる。
【００４０】
キャニスタを創傷被覆材から切断してキャニスタを取り外すことによってキャニスタを変更または交換することができ、それらの両方を本明細書に記載されるように実施することができる。取り外されたキャニスタは廃棄されてもよく、本明細書に記載されるように、新しいキャニスタを設置することができる。本明細書に記載されるように、被覆材は、それを取り外すこと、それを廃棄すること、および新しい被覆材を適用することによって、変更または交換することができる。本明細書に記載されるように、キャニスタまたは被覆材の交換に際して療法の提供を再開することができる。
【００４１】
電池などの電源は、定期的に再充電する必要がある場合がある。場合によっては、デバイスは、電源が低いかまたは極めて低いということを、図４Ａおよび図４Ｂに図示されるインジケータ４１２を介して示すことができる。例えば、インジケータ４１２は、電源が低い場合に無地に変わるか、または電源が極めて低い場合に点滅する場合がある。電源が充電されている間、デバイスを動作させ続けることができる。充電は、インジケータを介して示され得る。充電の完了は、インジケータを介して示され得る。
【００４２】
ＴＮＰシステムの様々な検査を、ＴＮＰ療法の提供中に実施することができる。本明細書に記載されるように、キャニスタまたは被覆材を定期的に検査および交換する必要がある場合がある。
【００４３】
動作または使用中、ＴＮＰシステムはユーザに様々な表示を提供し得る。表示は、電力レベル、充電、療法の提供、流体流路内の１つ以上の漏れの存在、流体流路内の１つ以上の閉塞の存在、寿命の終わり（例えば、３０日）への到達などのうちの１つ以上に関連し得る。表示は、１つ以上のＬＥＤなどを介した視覚、聴覚、触知、触覚などのうちの１つ以上であってもよい。例えば、図４Ａおよび図４Ｂは、キャニスタレス動作モード（図４Ａ）およびキャニスタ動作モード（図４Ｂ）における４１２（電池レベル）、４１４（閉塞）、４１６（漏れ）、および４１８（療法の電力または提供）を含む、ポンプアセンブリ１５０のハウジング上の様々な視覚インジケータを図示している。図４Ｂは、キャニスタ１６０に接続されたポンプアセンブリ１５０も図示している。
【００４４】
図示されるインジケータは、本明細書に記載されるような様々な表示を提供するように構成され得る。ある特定の表示は療法の一時停止をもたらさない重大ではない警報であり得る一方、ある特定の表示は療法の一時停止または停止をもたらす重大な警報であり得る。例えば、本明細書に記載されるように、軽度のまたは持続可能な空気の漏れの検出は、療法の一時停止をもたらさない重大ではない警報であり得る一方、重度のまたは持続不可能な空気の漏れの検出は、療法の一時停止をもたらす重大な警報であり得る。
【００４５】
以下の表に詳述されるように、様々な表示および対応するユーザアクションを、インジケータ４１２を介して提供することができる。
【表１】
2021520938.tif 000003
【００４６】
以下の表に詳述されるように、様々な表示および対応するユーザアクションを、インジケータ４１４を介して提供することができる。
【表２】
2021520938.tif 000004
【００４７】
閉塞／キャニスタ満杯時のトラブルシューティングは、任意のねじれにかんする導管（複数可）の検査、キャニスタの変更、または被覆材の変更のうち１つ以上を伴う場合がある。
【００４８】
以下の表に詳述されるように、様々な表示および対応するユーザアクションを、インジケータ４１６を介して提供することができる。
【表３】
2021520938.tif 000005
【００４９】
漏れのトラブルシューティングは、任意の漏れに関する導管（複数可）の検査、被覆材を取り除くこと、または被覆材の変更のうちの１つ以上を伴う場合がある。
【００５０】
以下の表に詳述されるように、様々な表示および対応するユーザアクションを、インジケータ４１８を介して提供することができる。
【表４】
2021520938.tif 000006
【００５１】
デュアルモード陰圧システムの制御
図５は、いくつかの実施形態によるデュアルモード減圧創傷療法装置を制御するためのプロセス５００を図示している。状態機械とも称され得るプロセス５００は、システム１００などのＴＮＰシステムの１つ以上のコントローラによって実行され得る。プロセス５００は、電力オフ状態５０２、電力オン状態５０４、およびソフト電力オフ状態５２２を含む。電力オン状態５０４は、入力状態５０６、自己診断状態５０８、回復不可能なエラー（ＮＲＥ）状態５１０、療法活動中状態５１２、および療法停止状態５２０を含み得る。療法活動中状態５１２は、療法初期化状態５１４、ポンプダウン状態５１６、および圧力維持状態５１８をさらに含み得る。
【００５２】
いくつかの実施形態では、ＴＮＰシステムの動作は電力オフ状態５０２で開始し、プロセス５００は電力オン状態５０４に遷移し得る。この遷移は、自動的に、または「オン」ボタン（例えば、ボタン２０２のうちの１つ）の押圧などのユーザアクションに応答して行われ得る。プロセス５００は、システムリセット時に電力オフ状態５０２から電力オン状態５０４へと遷移することができ、これは、ボタン２０２のうちの１つ以上を通じてユーザによって実施され得る。かかるシステムリセットは、１つ以上のコントローラのリセットを伴う場合がある。
【００５３】
いくつかの実施形態では、プロセス５００は、ソフト電力オフ状態５２２からのウェイクアップに応答して、電力オン状態５０４に遷移する。ソフト電力オフ状態５２２では、プロセス５００は、１つ以上のプロセッサをスリープ状態にするか、または別様にほとんど電力を消費しないようにすることなどによって、低電力モードで動作することができる。この遷移は、ある時間の持続期間の経過後など、自動的に実施され得る。あるいはまたはさらに、この遷移は、本明細書に記載されるユーザアクションに応答して実施され得る。プロセス５００がソフト電力オフ状態５２２にあるとき、ＴＮＰシステムはオフであり、陰圧を提供し得ない。
【００５４】
プロセス５００は、図５に図示されるように、入力状態５０６を経由して電力オン状態５０４に入ることができる。電力オン状態５０４は、次の四つのサブ状態を含み得る。自己診断状態５０８、療法活動中状態５１２、療法停止状態５２０、および回復不可能なエラー状態５１０。
【００５５】
電力オン状態５０４への遷移の際、プロセス５００は、電池の電圧または電流などの電源容量を監視するか、または監視を続けることができる。電源容量が、ＴＮＰシステムの適切な動作に関連付けられたある特定の閾値未満に下がった場合、プロセスは、ソフト電力オフ状態５２２へと遷移し得る。プロセス５００は、「オフ」ボタン（例えば、ボタン２０２のうちの１つ）の押圧などのユーザアクションに応答して、電力オン状態５０４からソフト電力オフ状態５２２へと遷移し得る。場合によっては、「オン」および「オフ」ボタンとして機能するように単一のボタンが構成されている。
【００５６】
電力オン状態５０４に入ると、プロセス５００は、自己診断状態５０８へと遷移し得る。自己診断状態５０８では、プロセス５００は、電源投入時自己診断（ＰＯＳＴ）のうちの１つ以上を実施して、ＴＮＰシステムが適切に動作していることを立証することができる。例えば、プロセス５００は、メモリを検証すること、ＴＮＰシステムが（本明細書で説明される）寿命の終わり（ＥＯＬ）に到達していないことを立証すること、較正値を立証することなどを行うことができる。場合によっては、メモリの検証により、巡回冗長検査（ＣＲＣ）を利用することができる。例えば、プロセス５００は、メモリに記憶されているデータの少なくとも一部のＣＲＣ値を計算することと、計算されたＣＲＣ値を記憶されているＣＲＣ値と比較することと、２つのＣＲＣ値が一致するかどうかを判定することと、を行うことができる。この判定は、例えば、ＴＮＰシステム１００のファームウェアが機能しており、改ざんされていないことを示すことができる。これにより、陰圧療法の適切な投与を確実にすることができる。いくつかの実装例では、システムのＥＯＬステータスまたは較正プロファイルを検査することにより、プロセス５００は陰圧療法の品質が損なわれないことを立証することができる。１つ以上の自己診断に失敗した場合、プロセス５００は、回復不可能なエラー状態５１０へと遷移し得る。回復不可能なエラー状態５１０は、電力をオフに切り替えること以外に放置することができないトラップ状態であってもよい（トラップ状態は、ソフト電力オフ状態５２２への遷移を引き起こす可能性がある）。回復不可能なエラー状態５１０はまた、ＴＮＰシステムが任意の状態からＥＯＬに到達したかをプロセス５００が判定するときに遷移し得る。
【００５７】
ＰＯＳＴを通過すると、プロセス５００は、療法活動中状態５１２へと遷移し得る。場合によっては、療法活動中状態５１２は、療法初期化状態５１４を介して入力される。療法活動中状態５１２へと遷移すると、プロセス５００は、ＴＮＰシステムがキャニスタモードまたはキャニスタレスモードで動作していると判定することができる。例えば、本明細書に記載されるように、プロセスは、ＴＮＰシステムがキャニスタモードで動作していると判定するために、キャニスタの取り付けを示すスイッチが起動されていると判定することができる。
【００５８】
プロセス５００は、動作モードに応じて目標圧力設定値を判定することができる。場合によっては、キャニスタレスモードにおいて、目標圧力設定値がプリセットされている。例えば、キャニスタレスモードにおける目標圧力設定値は、−８０ｍｍＨｇであり得る。場合によっては、キャニスタレスモードにおいて、目標圧力設定値を選択することができる。例えば、目標圧力設定値は、本明細書に記載されるように、ダイヤル３２７Ｇを使用して選択され得る。例えば、キャニスタモードにおいて、目標圧力設定値を−６０ｍｍＨｇ、−８０ｍｍＨｇ、または−１２０ｍｍＨｇとして選択することができる。場合によっては、目標圧力設定値は、陰圧療法が適用される前に、プロセス５００によって一旦設定することができ、ＴＮＰシステムの電源がオフになってから再びオンになるまで設定したままにすることができる。
【００５９】
プロセス５００は、陰圧創傷療法の提供が開始されるポンプダウン状態５１６に遷移し得る。プロセス５００は、陰圧源を起動または開始して、創傷における圧力を目標圧力設定値まで減少させるように試みることができる。プロセス５００は、陰圧源と被覆材とを接続している流体流路内に位置付けられた１つ以上の圧力センサを用いて、創傷における圧力を監視することができる。圧力が目標設定値まで正常に減少した場合、プロセス５００は圧力維持状態５１８に遷移し得る。場合によっては、プロセス５００は、目標設定値に到達したか、または目標設定値が達成されたときに、陰圧源を停止または起動解除することができる。場合によっては、プロセス５００は、目標設定値に到達したか、または目標設定値が達成されたときに、陰圧源の速度を落とすことができる。
【００６０】
圧力維持状態５１８では、目標圧力は、例えば、創傷における圧力が目標圧力設定値を超えて低下したときに陰圧源ポンプを起動し、目標圧力が復元されたときに陰圧源を起動解除することによって、維持することができる。創傷における圧力は、流体流路内の１つ以上の漏れにより、設定値を超えて低下する（またはより正になる）場合がある。
【００６１】
ポンプダウン状態５１６および圧力維持状態５１８の両方において、創傷における圧力、陰圧源の活動のレベルなどのような様々なシステムパラメータを監視して、陰圧創傷療法を停止する必要があるかどうか、または追加のもしくは代替的な表示を提供する必要があるかどうかを判定することができる。かかる追加のまたは代替的な表示は、視覚（１つ以上のインジケータ２０４を使用するなど）、聴覚、触知、触覚などの表示のうちの１つ以上を提供するプロセス５００を含み得る。かかる判定は、流体流路内の１つ以上の閉塞または漏れの発見に基づき得る。場合によっては、ある時間の持続期間にわたって陰圧源が活動中である時間の割合を反映し得る、陰圧源のデューティサイクルを判定することによって、陰圧源の活動のレベルを監視することができる。いくつかの実施形態では、本明細書に説明されるように、ヒステリシスを使用するタイムアウト機構（閉塞もしくは漏れの持続期間を監視することなど）または判定スキームを使用して、閉塞または漏れ検出時の偽陽性の可能性を減少させることができる。
【００６２】
場合によっては、漏れまたは閉塞の検出により、プロセス５００を、ポンプダウン状態５１６または圧力維持状態５１８のうちの１つ以上から療法停止状態５２０へと遷移させることができる。この状態では、陰圧源を停止して療法の提供を一時停止することができる。プロセス５００は、（１）ポンプダウン時間がキャニスタモードまたはキャニスタレスモードでの漏れを示すことを検出すること、（２）キャニスタモードで圧力を維持している間に、タイムアウトが閉塞を示すことを検出すること、（３）キャニスタモードまたはキャニスタレスモードで圧力を維持している間に、タイムアウトが漏れを示すことを検出することなどに応答して、療法停止状態５２０に遷移し得る。
【００６３】
いくつかの実施形態では、プロセス５００は、本明細書に記載されるような持続可能な漏れまたは閉塞と持続不可能な漏れまたは閉塞とを区別することができる。例えば、持続可能な漏れまたは閉塞は、療法の一時停止または停止を必要としない深刻さがより少ない状況（複数可）に関連付けられ得る。むしろ、プロセス５００は、療法を中断する必要なしに、ユーザが漏れまたは閉塞を改善することができるように、本明細書に記載されるような持続可能な漏れまたは閉塞の存在を示すことがある。別の例として、持続不可能な漏れまたは閉塞は、療法の一時停止または停止を必要とするより深刻な状況（複数可）に関連付けられ得る。かかる持続不可能な状況は、療法を提供するために陰圧源の動作を継続させると、電源の容量を排出する可能性があるという点において非常に深刻である場合がる。
【００６４】
いくつかの実装例では、目標圧力設定値がある時間の持続期間にわたってポンプダウン状態５１６で到達することができない場合、プロセス５００は、漏れの存在を判定し得る。プロセス５００は、設定値に到達するのを防止するかかる漏れが持続不可能な漏れであると判定し、その存在を、陰圧源を停止することによって示すことができる。加えて、プロセス５００は、本明細書に記載されるように、持続不可能な漏れの存在を視覚的、聴覚的、触知的、触覚的になどで示すことができる。持続不可能な漏れは、例えば、キャニスタレスモードで動作しているとき、またはキャニスタモードで動作しているときにキャニスタを切断するときに、陰圧源から被覆材を切断することに起因し得る。
【００６５】
いくつかの実施形態では、プロセス５００は、流体流路内に漏れまたは閉塞が存在するために、圧力維持状態５１８で創傷での目標圧力を復元することができない場合がある。プロセス５００は、デューティサイクルなどの陰圧源の活動のレベルを、本明細書に記載されるような漏れ閾値または閉塞閾値と比較することによって、漏れまたは閉塞を区別し得る。閉塞が存在する場合、中を通って陰圧源が流体を移動させる流体流路の容積が減少する。その結果、陰圧源の活動のレベルが低下する。漏れが存在する場合、中を通って陰圧源が流体を移動させる流体流路の容積が増加する。その結果、陰圧源の活動のレベルが増加する。異なる漏れ閾値および閉塞閾値を使用することによって、プロセス５００は、漏れ状況および閉塞状況を区別し得る。漏れ閾値および閉塞閾値は、キャニスタ動作モードまたはキャニスタレス動作モードを考慮に入れて選択または調節され得る。これは、両方のモードで動作するときに異なる流体流路の容積のために有利である場合がある。例えば、キャニスタモードで動作するときの流体流路の容積は、キャニスタレスモードでは存在しない、キャニスタの追加の容積を含む。
【００６６】
いくつかの実装例では、プロセス５００は、ＴＮＰシステムの寿命または使用時間を監視する。例えば、プロセス５００は、療法活動中状態５１２での寿命のみを更新し得る。寿命は、ＴＮＰシステムの初期起動以来、陰圧源が活動中であった合計時間として測定され得る。いくつかの実装例では、プロセス５００は、１分、５分、１０分、２０分、２５分など、ある閾値期間にわたって療法が正常に提供された後にのみ寿命の測定または監視を開始し得る。療法を正常に提供することは、目標圧力を達成および維持することができることに対応し得る。
【００６７】
プロセス５００は、寿命を監視して、ＴＮＰシステムがいつ、７日間の動作、１０日間の動作、３０日間の動作などの寿命の終わりに到達するかを判定することができる。プロセス５００は、ＴＮＰシステムがいつ、期待される療法の動作寿命またはＥＯＬに到達したか、またはそれらを超えたかを判定し得る。プロセス５００が、ＥＯＬに到達したことを検出すると、陰圧創傷療法を提供する能力が無効になる。本明細書に記載されるように、視覚、聴覚、触知、触覚などの表示のうちの１つ以上が提供され得る。場合によっては、ＥＯＬを検出すると、プロセス５００は、療法の提供が無効になる回復不可能なエラー状態５１０に遷移する。
【００６８】
いくつかの実装例では、プロセス５００は、リアルタイムクロック（ＲＴＣ）および累積された使用時間を使用または維持することによって、ＥＯＬ検査を実施し得る。累積された使用時間は、ＥＥＰＲＯＭなどの永続的なメモリに記憶され得る。プロセス５００は、ＲＴＣを使用して、累積された使用時間を定期的に更新し得る。例えば、ＲＴＣによって判定される１５分ごとに、プロセス５００は、累積された使用時間に１５分を追加し得る。
【００６９】
プロセス５００は、療法を開始もしくは再開する際に、または定期的に自己診断状態５０８でＥＯＬ検査を実施し得る。いくつかの実施形態では、ＥＯＬ検査は、ソフト電力オフ状態５２２でのプロセッサによる要求に応じて実施され得る。要求は、定期的なＥＯＬ検査イベントを待つ代わりに、非同期的にＥＯＬ検査をトリガし、ＥＯＬに到達したとの判定に応答して、直ちにシステムを回復不可能なエラー状態５１０へと遷移させる。
【００７０】
本明細書に記載されるように、プロセス５００は、流体流路内の１つ以上の閉塞または漏れの存在を判定および示すことができる。いくつかの実施形態では、プロセス５００は、かかる判定を、流体流路内の圧力および陰圧源の活動のレベルから行うことができる。活動のレベルは、例えば、ある時間の持続期間にわたって陰圧源が活動中である時間の割合に関連付けられる、陰圧源のデューティサイクルを監視することによって判定され得る。例えば、陰圧源が１分の持続期間にわたり５０秒間活動中である場合、プロセス５００は、デューティサイクルが０．８３（５０／６０）または８３％（５０／６０×１００％）であると判定し得る。
【００７１】
いくつかの実装例では、デューティサイクルを使用して、閉塞または漏れの存在を判定することができる。概して、陰圧源が作用しすぎないように、またはほとんど作用しないようにする必要があり、これは、それぞれ高いポンプまたは低いデューティサイクルに直接変換され得る。陰圧源が作用しすぎている（高いデューティに対応する）場合、目標圧力設定値に到達しようと試みるために、陰圧源が期待されるよりも多くの流体を移動させるように過度に作用しすぎている場合、漏れの存在が疑われる可能性がある。陰圧源がほとんど作用していない場合、目標圧力設定値に到達しようと試みるために、陰圧源が期待されるよりも少ない流体を移動させるので、陰圧源が十分に作用していない場合、閉塞の存在が疑われる可能性がある。したがって、プロセス５００は、計算されたポンプデューティサイクルとの比較のために１つ以上のポンプデューティサイクル閾値を使用して、１つ以上の閾値が満たされているかどうかを判定し、閉塞または漏れを示すことができる。
【００７２】
図６Ａは、いくつかの実施形態による、システム１００などのＴＮＰシステムの通常の動作を図示する図６１００である。ｙ軸は、陰圧源、例えば、ポンプのデューティサイクルである。ｘ軸は、分単位で表示される時間である。測定または計算されたポンプデューティサイクル（６１０６および６１０８など）は、それらの値に従ってプロットされている。Ｙ軸に沿って、漏れ閾値６１０２および閉塞限度閾値６１０４が提示されている。ポンプが期待または所望されるよりも強く作用しており、それに伴って、漏れ閾値６１０２を超えている場合、漏れ状況が検出される場合がある。逆に、目標圧力設定値を維持するために、ポンプがほとんど作用しておらず、それに伴って、閉塞閾値６１０４未満に下がった場合、閉塞状況が検出される場合がある。漏れ閾値または閉塞閾値は、キャニスタ動作モードまたはキャニスタレス動作モードによって異なり得る。例えば、漏れ閾値は、それぞれ１２％および４％など、キャニスタモードのときのほうがキャニスタレスモードのときよりも高くなる場合がある。これは、ＴＮＰシステムがキャニスタモードでより多くの流体を移動させることが期待されることによるものであり得る。いくつかの実施形態では、プロセス５００は、キャニスタモードでは閉塞状況および漏れ状況を検出し得るが、キャニスタレスモードでは漏れ状況のみを検出し得る。
【００７３】
図６Ａでは、ポンプデューティサイクルのいずれも閾値６１０２超になっていないか、またはポンプデューティサイクルのいずれも閾値６１０４未満になっていないため、ＴＮＰシステムは通常に動作している。プロセス５００は、療法活動中状態５１２のままであってもよい。
【００７４】
いくつかの実施形態では、プロセス５００は、閉塞または漏れを検出するときにヒステリシスを実現し得る。これは、療法停止状態５２０への不正確な遷移につながり得る偽陽性判定のリスクを減少させるために実施され得る。かかる偽陽性判定は、一時的な漏れまたは閉塞に起因し得る。
【００７５】
図６Ｂは、いくつかの実施形態による、漏れ状況の検出および表示を図示する図６２００である。図示されるように、ポンプデューティサイクルは、連続的に増加し、漏れ閾値６１０２を超えるように開始される。ポンプデューティサイクルが漏れ限度閾値６２０２を超える場合、プロセス５００は、漏れの表示を直ちに提供する代わりに、ヒステリシスを実現し得る。例えば、漏れ閾値６１０２超の初期デューティサイクル６２０２の後に、プロセス５００は、次のポンプデューティサイクル読み取り値６２０４を追跡して、それも閾値６１０２を超えると判定する。プロセス５００は、閾値６１０２を超えるポンプデューティサイクル読み取り値の追跡を続けることができる（閾値６１０２を超えるかかるポンプデューティサイクル読み取り値のカウントが図６２００に示されており、例えば、「２」は、第２のポンプデューティサイクル読み取り値６２０４に埋め込まれている）。プロセス５００は、連続的なまたは非連続的なデューティサイクル読み取り値が閾値６１０２を超えるたびに漸増するカウンタを保つことができる。プロセス５００は、ポンプデューティサイクル６２０６を伴って図６Ｂに図示されるように、カウンタが１０などの閾値に到達すると、漏れの存在を示すことができる。示されるように、連続的なポンプデューティサイクルを１０分間隔でカウントした。
【００７６】
プロセス５００は、ポンプデューティサイクル６２０６で閾値に到達すると、漏れの表示、警報、または警告を提供し得る。本明細書に記載されるように、かかる警告は、視覚、聴覚、触知、触覚などの警告のうちの１つ以上を含み得る。警告は、療法を停止する前に漏れに対処するように、表示をユーザに提供し得る。例えば、プロセスは、漏れに対処するための時間の持続期間を提供し得る。この時間の間、プロセス５００は、ポンプデューティサイクルサンプルが漏れ状況を示すたびにカウンタを漸増し続けることができる。例えば、図６Ｂは、ポンプデューティサイクル６２０８が、漏れ閾値６１０２を超える１１番目のポンプデューティサイクルとしてカウントしていることを図示している。ユーザが漏れに対処するための時間の持続期間は、漏れを検出するための時間の持続期間よりも短い場合がある。例えば、図６Ｂに図示されるそれぞれの持続期間は、漏れを検出するためには１０分であり、漏れに対処するためには５分である。
【００７７】
漏れ状況が漏れに対処するための持続期間を超えて持続したとプロセス５００が判定する場合、プロセス５００は陰療法の提供を停止し得る。これは、電源容量の減少を軽減するため、ユーザの不快感（例えば、陰圧源の動作による騒音）を最小限に抑えるなどのために実施され得る。プロセス５００は、療法停止状態５２０に遷移し得る。図６Ｂに示されるように、プロセス５００は、デューティサイクル６２１０が漏れ閾値６１０２を超えると判定した後に療法を停止し得る。プロセス５００は、療法が停止されたときに、同じまたは異なる表示もしくは警告を提供し続けることができる。
【００７８】
いくつかの実施形態では、測定されたポンプデューティサイクルが、漏れ閾値６１０２を大幅に超える場合がある。例えば、１つ以上のポンプデューティサイクルがある時間の持続期間にわたって１００％であるか、またはおよそ１００％である場合、これは、ポンプが最大限に作用しているが、目標圧力を達成することができない壊滅的な漏れを示し得る。かかる壊滅的な漏れは、持続不可能であり、療法の効果を損なうか、または電源を急速に排出する場合がある。例えば、壊滅的な漏れは、キャニスタレスモードで被覆材が取り外された結果、キャニスタモードでキャニスタが取り外された結果（スイッチを介して検出され得る）、またはいずれかのモードで流体流路から陰圧源を切断した結果として発生する可能性がある。これらのシナリオでは、ポンプは、目標圧力設定値を獲得しようと激しく作用し得る（１００％近くのポンプデューティサイクルなど）が、そうすることができない場合がある。本明細書にさらに記載されるように、プロセス５００は、ポンプがある時間の持続期間にわたって１００％または１００％近くのポンプデューティサイクルで動作するとの判定によって壊滅的な漏れを検出し、かつその検出に応答して、陰圧の提供を停止し得る。プロセス５００は、本明細書に記載されるように、警告を提供し得る。
【００７９】
図６Ｃは、いくつかの実施形態による、漏れ状況の検出を図示する図６３００である。ここでは、図６Ｂとは異なり、漏れ状況は初期検出後に（例えば、５分以内に）修復される。示されるように、漏れ閾値６１０２を超えるポンプデューティサイクル６３０２によって引き起こされた１３番目のカウントの後、次のポンプデューティサイクル６３０４は、漏れが修復されているため閾値６１０２未満になる。修復は数分前に発生した可能性があり、ポンプは、ポンプデューティサイクル６３０４が漏れ閾値６１０２未満になるように、圧力を十分に下げるのにある程度の時間を要した可能性がある。
【００８０】
プロセス５００は、漏れの検出または表示をクリアすることでヒステリシスを実現し得る。これは、偽陰性を防止するために実施され得る。デューティサイクルが閾値６１０２未満であることを検出すると、プロセス５００は、カウンタを漸減させ得る。図示されるように、１０のカウンタは、漏れ警告を初期化するようにプロセス５００に指示するため、プロセスはカウンタを９まで漸減させ得る。後続のポンプデューティサイクル６３０６が漏れ閾値６１０２未満のままである場合、プロセス５００は、漏れの検出または表示をクリアし得る。プロセス５００は、カウンタを８まで漸減させ得る。漏れをクリアするための時間の持続期間は、漏れを検出するための時間の持続期間よりも短い場合がある。例えば、図６Ｃに図示されるそれぞれの持続期間は、漏れを検出するためには１０分であり、漏れをクリアするためには２分である。
【００８１】
図６Ｄは、いくつかの実施形態による、漏れ状況の再検出を図示する図６４００である。図６Ｃとは対照的に、図６Ｄでは漏れ状況が再発生している。ポンプデューティサイクル６４０２が漏れ閾値６１０２未満である状態で漏れがクリアされた後、プロセス５００は、以前のポンプデューティサイクルの履歴についての知識を用いて、漏れ状況の再発生に関する監視を続けることができる。例えば、カウンタは、本明細書に説明されるように、デューティサイクル６４０２に対して８にリセットされ得る。閾値６１０２未満のポンプデューティサイクルの後続の検出により、カウンタを、ポンプデューティサイクル６４０４で、例えば、７および６までさらに漸減させることができる。かかる漸減は、漏れカウンタが通常の動作状況を示す、０などの数値に到達するまで続けることができる。
【００８２】
しかしながら、デューティサイクル６４０６などの後続の測定されたポンプデューティサイクルが逆戻りして漏れ状況を示す（例えば、漏れ閾値６１０２を超える）場合、プロセス５００は、再び漏れカウンタ６４０６を漸増させ得る。図６Ｂに関連して説明されるように、カウンタが閾値（１０など）に到達すると、プロセス５００は、漏れ表示を再主張し得る。図示されるように、これは、ポンプデューティサイクル６４０８が漏れ閾値６１０２を超えていることをプロセス５００が検出すると発生し得る。
【００８３】
いくつかの実施形態では、図６Ａ〜図６Ｄの手法は、漏れ状況の検出の履歴に基づいて、より応答的な漏れ検出を提供しつつ、１つまたはいくつかのデューティサイクルが、漏れ表示をトリガすることなく、漏れ限度閾値６１０２超になることを可能にもするため有利である。漏れ表示に注意を払っているユーザは、修復が永続的な修復を提供したかどうかをより容易に、かつ迅速に判定することができる。例えば、ユーザは、漏れ表示を除去するために視覚的な漏れを修復した可能性があるが、プロセス５００は、漏れ表示の再主張を引き起こす他の漏れを検出し得る。
【００８４】
図６Ａ〜図６Ｄは漏れ検出を図示しているが、閉塞閾値６１０４を使用して閉塞検出を同様に実施することができる。プロセス５００は、閾値６１０４未満に下がったポンプデューティサイクルを検出し得る。
【００８５】
図７は、いくつかの実施形態による、閉塞および漏れの検出および表示のフローチャート７００を図示している。プロセス７００は、システム１００などのＴＮＰシステムの１つ以上のコントローラによって実行され得る。プロセス７００を、スケジュールされたチックイベント７０２が行われる場合など、定期的に実行して、閉塞状況または漏れ状況の発生を監視することができる。フローチャート７００は、活動７１０（ポンプデューティサイクルとして図示示される）、閉塞検出７３０、および漏れ検出７６０の計算を含む、単一のフローチャート内の実装例のすべての３つの態様を提供するが、これらのうちの１つ以上は別個のフローチャート内に独立して実装され得る。
【００８６】
ブロック７０２において、プロセス７００は、システムのチックイベント７０２を検出する。チックイベント７０２は、１つ以上の割り込み、クロックなどに基づき得る。プロセス７００は、ポンプデューティサイクルの計算７１０を含み得る、関連付けられた関数の割り込みハンドラまたは関数を呼び出すことによって、チックイベント７０２に対処し得る。
【００８７】
ポンプデューティサイクルの計算７１０は、ブロック７１２、７１４、７１６、７１８、および７２０を含み得る。ブロック７１２において、プロセス７００は、陰圧源またはポンプが活動中であるか否かを判定し得る。ポンプが活動中状態であると判定された場合、プロセス７００は、ブロック７１４においてポンプ活動カウンタ（例えば、「ｏｎＣｏｕｎｔ」）を漸増させ得る。そうでない場合、ポンプ活動カウンタは漸増しない。
【００８８】
ブロック７１６では、観察されるチックイベントごとに漸増されるなど、時間の持続期間が更新される。いくつかの実施形態では、プロセス７００は、時間の持続期間が、１分などの閾値（例えば、「ｅｖａｌＰｅｒｉｏｄ」）に到達するまで、デューティサイクルの計算を遅延し得る。例えば、１分の閾値で１０ミリ秒のチックを仮定すると、プロセス７００は、閾値が６，０００カウント以上に到達したと判定し得る（１０ミリ秒×１００×６０秒＝１分）。ブロック７１８では、プロセス７００は、時間の持続期間を閾値と比較し得る。閾値に到達したと判定された場合、プロセス７００は、パーセンテージとして表される、ポンプ活動カウンタ（ブロック７１４）と時間の持続期間（ブロック７１６）との割合として、ブロック７２０においてポンプデューティサイクルを更新し得る。そうでない場合、プロセス７００は、検出を実施するには早すぎると判定し、プロセスを終了するためにブロック７８２へと遷移し得る。
【００８９】
プロセス７００は、ブロック７２０で判定されたポンプデューティサイクルを使用して、７３０または７６０においてそれぞれ閉塞または漏れを検出するか、または示すことができる。図７は、最初に閉塞検出７３０を実施し、次に漏れ検出７６０を実施することを図示しているが、いくつかの実施形態では、漏れ検出が閉塞検出に先行する場合がある。
【００９０】
閉塞検出７３０は、ブロック７３２、７３４、７３６、７３８、７４０、７４２、７４４、７４６、および７４８を含み得る）。ブロック７３２では、ポンプデューティサイクルが閉塞閾値未満であるかどうかを判定することができる（例えば、図６Ａ〜図６Ｄの６１０４を参照されたい）。例えば、キャニスタモードでは、閉塞閾値は、０．５％のデューティサイクルとすることができる。ポンプデューティサイクルが閉塞閾値未満であるとプロセス７００が判定した場合、プロセスは、閉塞カウンタ（例えば、「Ｂ＿ｔｏｔａｌ」）および閉塞ヒステリシスカウンタ（例えば、「Ｂ＿ｃｌａｍｐ」）を漸増させることができる、ブロック７３４へと遷移する。閉塞ヒステリシスカウンタは、本明細書に記載されるように、閉塞警告に関連付けられた天井値（例えば、「ＭＡＸ＿Ｂ」）を有し得る。例えば、図６Ａ〜図６Ｄを参照すると、閉塞検出の持続期間は１０分である。プロセス７００が閉塞検出７３０を毎分実行する場合、閉塞ヒステリシスカウンタは１０に設定され得る。ブロック７３４において、両方のカウンタは、閉塞検出７３０の実行ごとに最大１０まで増加し得るが、１０からは、閉塞カウンタのみが１１以上に増加し得る。
【００９１】
プロセス７００は、閉塞ヒステリシスカウンタを閉塞閾値カウンタ（例えば、「Ｂ＿ｓｅｔ＿ｔｈｒｅｓｈｏｌｄ」）と比較して、閉塞状況が、閉塞警告を起動するために十分長く持続したかどうかを判定することができる、ブロック７３６へと遷移し得る。閉塞ヒステリシスカウンタが閉塞持続期間を超えている場合、ポンプデューティサイクルが閉塞閾値未満である状態で、十分長い時間（例えば、図６Ｂでは、１０分以上）が経過している。本明細書に記載されるように、閉塞警告を起動することができる。プロセス７００は、閉塞警告（例えば、「Ｂ＿Ｆｌａｇ」）を真に設定することができる、ブロック７３８へと遷移し得る。
【００９２】
プロセス７００は、療法を停止することに関連付けられた閉塞閾値（例えば、「Ｂ＿ｔｉｍｅｏｕｔ」）と閉塞カウンタを比較することができる、ブロック７４０へと遷移し得る。この判定は、閉塞状況の持続により、療法を停止するかどうかを査定するために行うことができる。図６Ｂを参照すると、かかる閉塞閾値は、閉塞に対処するために５分とすることができる。ブロック７４０での比較が真であった場合、プロセス７００は、療法を（例えば、「ＢｌｏｃｋＴｉｍｅＯｕｔ」を真に設定することによって）停止する必要があることを示すことができる、ブロック７４２へと遷移し得る。場合によっては、プロセス５００は、システムを療法停止状態５２０へと遷移させ得る。
【００９３】
ブロック７３２では、ポンプデューティサイクルが閉塞限度閾値（例えば、６１０４）を超えるとプロセス７００が判定した場合、プロセス７００はブロック７４４へと遷移し得る。ブロック７４４では、プロセス７００は、閉塞ヒステリシスカウンタ（例えば、「Ｂ＿ｃｌａｍｐ」）を漸減させ、閉塞カウンタ（例えば、「Ｂ＿ｔｏｔａｌ」）を閉塞ヒステリシスカウンタにリセットすることができる。本明細書に記載されるように、閉塞ヒステリシスカウンタは、天井値（例えば、「ＭＡＸ＿Ｂ」）に関連付けられ得る。閉塞ヒステリシスカウンタを漸減させると、値が天井値よりも小さくなる場合がある。例えば、図６Ｃを参照すると、通常のポンプデューティサイクルの検出後に、漏れカウンタは９にリセットされる（例えば、１０を１だけ漸減）。同様に、閉塞カウンタは９にリセットされ得る。
【００９４】
プロセス７００は、閉塞ヒステリシスカウンタを閉塞クリア閾値（例えば、「Ｂ＿ｃｌｅａｒ＿ｔｈｒｅｓｈｏｌｄ」）と比較して、閉塞警告をクリアするかどうかを判定することができる、ブロック７４６へと遷移し得る。プロセス７００は、クリアする前に、ある特定の数の通常のポンプデューティサイクルを必要とする場合がある。例えば、図６Ｃは、漏れ警告をクリアする前の通常のデューティサイクルの少なくとも２つのカウントを図示している。同様に、プロセス７００は、閉塞ヒステリシスカウンタを８に設定することができる。例えば、閉塞ヒステリシスカウンタを１０漸減させるには、ブロック７４８で閉塞警告をクリアする前に２分かかる。閉塞ヒステリシスカウンタ（例えば、「Ｂ＿ｃｌａｍｐ」）の底値は図７には図示されていないが、いくつかの実施形態では、閉塞ヒステリシスカウンタを不確定に低下させないために、かかる底値を使用することができる。
【００９５】
いくつかの実施形態では、漏れ検出は、ポンプデューティサイクルが漏れ閾値を超えているかどうかをプロセス７００が判定することができることを除いて、閉塞検出と同様に実施され得る。漏れ検出７６０は、ブロック７６２、７６４、７６６、７６８、７７０、７７２、７７４、７７６、および７７８を含み得る。ブロック７６２では、プロセス７００は、ブロック７２０で判定されたポンプデューティサイクルが漏れ閾値（例えば、図６Ａ〜図６Ｄの６１０２）を超えているかどうかを判定し得る。例えば、キャニスタモードでは、１２％の漏れ閾値を使用することができ、キャニスタレスモードでは、４％の漏れ閾値を使用することができる。ポンプデューティサイクルが漏れ閾値超であるとプロセス７００が判定した場合、プロセス７００は、ブロック７６４へと遷移し得る。プロセス７００は、漏れカウンタ（例えば、「Ｌ＿ｔｏｔａｌ」）および漏れヒステリシスカウンタ（例えば、「Ｌ＿ｃｌａｍｐ」）を漸増させ得る。漏れヒステリシスカウンタは、本明細書に記載されるように、漏れ警告に関連付けられた天井値（例えば、「ＭＡＸ＿Ｌ」）を有し得る。
【００９６】
プロセスは、漏れヒステリシスカウンタを漏れ閾値カウンタ（例えば、「Ｌ＿ｓｅｔ＿ｔｈｒｅｓｈｏｌｄ」）と比較して、漏れ状況が、漏れ警告を起動するために十分長く持続したかどうかを判定することができる、ブロック７６６へと遷移し得る。漏れヒステリシスカウンタが漏れ持続期間を超えている場合、ポンプデューティサイクルが漏れ閾値超である状態で、十分長い時間（例えば、図６Ｂでは、１０分）が経過している。本明細書に記載されるように、漏れ警告を起動することができる。プロセスは、閉塞警告（例えば、「Ｌ＿Ｆｌａｇ」）を真に設定することができる、ブロック７６８へと遷移し得る。
【００９７】
プロセス７００は、療法を停止することに関連付けられた漏れ閾値（例えば、「Ｌ＿ｔｉｍｅｏｕｔ」）と漏れカウンタを比較することができる、ブロック７７０へと遷移し得る。この判定は、漏れ状況の持続により、療法を停止するかどうかを査定するために行うことができる。図６Ｂを参照すると、かかる漏れ閾値は、漏れに対処するために５分とすることができる。ブロック７７０での比較が真であった場合、プロセス７００は、療法を（例えば、「ＬｅａｋＴｉｍｅＯｕｔ」を真に設定することによって）停止する必要があることを示すことができる、ブロック７７２へと遷移し得る。場合によっては、プロセス５００は、システムを療法停止状態５２０へと遷移させ得る。
【００９８】
ブロック７６２において、ポンプデューティサイクルが、６１０２などの漏れ閾値を超えていないとプロセス７００が判定した場合、プロセス７００は、ブロック７７４へと遷移し得る。ブロック７４４では、プロセス７００は、漏れヒステリシスカウンタ（例えば、「Ｌ＿ｃｌａｍｐ」）を漸減させ、漏れカウンタ（例えば、「Ｌ＿ｔｏｔａｌ」）を漏れヒステリシスカウンタにリセットすることができる。本明細書に記載されるように、漏れヒステリシスカウンタは、天井値（例えば、「ＭＡＸ＿Ｌ」）に関連付けられ得る。漏れヒステリシスカウンタを漸減させると、値が天井値よりも小さくなる場合がある。例えば、図６Ｃを参照すると、通常のポンプデューティサイクルの検出後に、漏れカウンタは９にリセットされる（例えば、１０を１だけ漸減）。
【００９９】
プロセスは、漏れヒステリシスカウンタを漏れクリア閾値（例えば、「Ｌ＿ｃｌｅａｒ＿ｔｈｒｅｓｈｏｌｄ」）と比較して、漏れ警告をクリアするかどうかを判定することができる、ブロック７７６へと遷移し得る。プロセス７００は、クリアする前に、ある特定の数の通常のポンプデューティサイクルを必要とする場合がある。例えば、図６Ｃは、漏れ警告をクリアする前の通常のデューティサイクルの少なくとも２つのカウントを図示している。同様に、プロセス７００は、漏れヒステリシスカウンタを８に設定することができる。例えば、漏れヒステリシスカウンタを１０漸減させるには、ブロック７７８で漏れ警告をクリアする前に２分かかる。漏れヒステリシスカウンタ（例えば、「Ｌ＿ｃｌａｍｐ」）の底値は図７には図示されていないが、いくつかの実施形態では、漏れヒステリシスカウンタを不確定に低下させないために、かかる底値を使用することができる。
【０１００】
いくつかの実施形態では、プロセス７００は、終了前に、ブロック７８０において、ポンプ活動カウンタ（例えば、「ｏｎＣｏｕｎｔ」）および時間の持続期間（例えば、「ｔｏｔａｌＣｏｕｎｔ」）をリセットすることができる。これにより、ポンプデューティサイクルの計算７１０を、次のポンプデューティサイクルの計算のための変数のクリーンなセットを用いて開始することができる。
【０１０１】
図示される漏れ検出７６０は持続可能な漏れと持続不可能な漏れとを区別していないが、いくつかの実施形態では、プロセス７００は、かかる区別を行う場合がある。例えば、漏れ検出７６０は、持続不可能な漏れの検出のために、より高い漏れ閾値（本明細書に記載されるように、１００％のまたは１００％に近いものなど）を使用することができる。
【０１０２】
警告の段階的な上昇
図８Ａおよび図８Ｂは、いくつかの実施形態による、閉塞警告および漏れ警告の段階的な上昇を図示している。図８Ａは、キャニスタモードおよびキャニスタレスモード（またはキャニスタフリーモード）における漏れ警告の段階的な上昇を図示している。図８Ｂは、キャニスタモードでの閉塞警告の段階的な上昇を図示している。
【０１０３】
記載されるように、システム１００などのＴＮＰシステムは、持続可能な漏れ８１０２または持続不可能な漏れ８１０６もしくは８１０８を検出し得る。この検出は、プロセス５００によって実施され得る。持続可能な漏れについては、目標圧力設定値が達成可能である。場合によっては、少なくとも一部のポンプデューティサイクルが、閾値６１０２などの漏れ閾値を超えている場合、本明細書に記載されるように、漏れを検出することができる。かかる持続可能な漏れは、完全にシールされていない創傷被覆材の結果として発生し得る。
【０１０４】
いくつかの実施形態では、本明細書に記載されるように、持続可能な漏れが検出された場合、療法は完全に損なわれていない可能性があり、患者は療法の提供を続けることにより少なくとも一部の利益を得ることができる。ＴＮＰシステム１００またはプロセス５００は、軽度の漏れ警告８１０４を提供して、漏れにユーザの注意を引き寄せるが、陰圧創傷療法を引き続き施すことができる。図示されるように、軽度の漏れ警告８１０４は、視覚的表示または聴覚的警告のうちの１つ以上を提供することを含み得る。本明細書に記載されるように、視覚的表示は、漏れインジケータ８１１２（インジケータ４１６に対応し得る）を介して提供され得る。例えば、インジケータは、琥珀色になってもよい。聴覚的表示は、ブザーを起動することによって提供され得る。本明細書に記載されるように、追加のまたは代替的な表示を提供することができる。
【０１０５】
いくつかの実装例では、時間の経過と共に、持続可能な漏れとして開始されたものが、持続不可能な漏れ８１０６へと劣化する場合がある。例えば、完全にシールされていない創傷被覆材による小さな空気の漏れが、時間の経過と共に、大きくなり続ける場合がある。最終的に、陰圧源は、その全容量でまたは全容量の近くで動作して、目標圧力設定値を維持することを試みることができる。本明細書に記載されるように、これは、ポンプデューティサイクルが１００％であるか、または１００％近くであることにより検出され得る。陰圧源が目標圧力設定値を獲得または維持することができないと判定された場合、それは、療法が漏れによって損なわれており、患者が療法からの利益をもはや受けないと判定され得る。
【０１０６】
持続可能な漏れが持続不可能な漏れへと発展した場合、以前の軽度の漏れ警告８１０４が重度の漏れ８１１０へと段階的に上昇される場合がある。ＴＮＰシステム１００またはプロセス５００は、ユーザに警告し続けるが、陰圧源をオフにすることができる。場合によっては、重度の漏れ警告８１１０は、軽度の漏れ警告８１０６とは異なるインジケータまたは異なるインジケータの組み合わせを使用して、漏れ状況のより大きな深刻度を区別する。本明細書に記載されるように、例えば、軽度の漏れ警告８１０４を提供するために、それぞれ漏れインジケータ８１１２（インジケータ４１６に対応し得る）が琥珀色であり得、オン／オフインジケータ８１１４（インジケータ４１８に対応し得る）が緑色であり得る一方、重度の漏れ警告８１１０を提供するために、両方のインジケータが琥珀色であってもよい。聴覚的警告を提供することもできる。本明細書に記載されるように、追加のまたは代替的な表示を提供することができる。
【０１０７】
いくつかの実施形態では、最初に軽度の漏れ警告を検出することなく、直接、持続不可能な漏れを検出することができる。例えば、これは、ＴＮＰシステム１００がポンプダウン状態５１６で目標圧力設定値を獲得することができない場合に発生し得る。原因は、キャニスタが取り付けられていない状態でキャニスタモードにおいて動作しているか、創傷被覆材が取り付けられていない状態でキャニスタレスモードにおいて動作している可能性がある。かかる事態では、ＴＮＰシステム１００またはプロセス５００は、療法を停止し、最初に軽度の漏れ警告８１０４を提供することなく、重度の漏れ警告８１１０を提供し得る。
【０１０８】
図８Ｂは、キャニスタモードでの閉塞警告の段階的な上昇を図示している。図示されていないが、図８Ｂに図示される流れは、キャニスタレスモードで実施され得る。ブロック８２０２では、ＴＮＰシステム１００またはプロセス５００は、本明細書に記載されるように閉塞を検出することができる。例えば、少なくともいくつかのポンプデューティサイクルが、閾値６１０４などの閉塞閾値を満たしていない場合、閉塞は本明細書に記載されるように検出され得る。閉塞は、完全なもしくは実質的に完全なキャニスタ、または流体流路内の閉塞によって引き起こされ得る。
【０１０９】
いくつかの実施形態では、閉塞が検出されると、軽度の閉塞警告８２０４が提供される。ＴＮＰシステムは、患者が少なくとも一部の利益を受けることができるように、陰圧創傷療法を施し続けることができる。図示されるように、軽度の閉塞警告８２０４は、視覚的表示または聴覚的警告のうちの１つ以上を提供することを含み得る。本明細書に記載されるように、視覚的表示は、閉塞インジケータ８２１０（インジケータ４１４に対応し得る）を介して提供され得る。例えば、インジケータは、琥珀色になってもよい。聴覚的表示は、ブザーを起動することによって提供され得る。本明細書に記載されるように、追加のまたは代替的な表示を提供することができる。
【０１１０】
ＴＮＰシステム１００またはプロセス５００は、例えば、閉塞の持続期間を監視することによって、閉塞を監視し続けることができる。閉塞が持続している８２０６（例えば、１時間以上続く）と判定された場合、患者が療法の提供からいずれの利益も得られない可能性が高い。
【０１１１】
持続的な閉塞８２０６が判定された場合、いくつかの実施形態では、ＴＮＰシステムまたはプロセス５００は、軽度の閉塞警告８２０４から重度の閉塞警告８２０８への閉塞警告を段階的に上昇させ得る。いくつかの実装例では、療法の提供が停止され得る。場合によっては、重度の閉塞警告８２０８は、軽度の閉塞警告８２０４とは異なるインジケータまたは異なるインジケータの組み合わせを使用して、閉塞状況のより大きな深刻度を区別する。例えば、軽度の閉塞警告８２０４を提供するために、それぞれ閉塞インジケータ８２１０（インジケータ４１４に対応し得る）が琥珀色であり得、オン／オフインジケータ８２１２（インジケータ４１８に対応し得る）が緑色であり得る一方、重度の閉塞警告８２０８を提供するために、両方のインジケータが琥珀色であってもよい。聴覚的警告を提供することもできる。本明細書に記載されるように、追加のまたは代替的な表示を提供することができる。
【０１１２】
他の変形
本明細書に開示される制御システムおよび方法は、任意のＴＮＰシステムまたは任意の医療デバイスによって実施され得る。本明細書で使用される場合、療法を停止するとは、療法を一時中止または一時停止することを包含する。ある特定の色のインジケータが様々な例に関連して記載され得るが、任意の好適な色を追加としてまたは代替的に使用することができる。本開示はある特定の実施形態を説明しているが、当業者は、本開示で示され説明される方法およびデバイスの多くの態様を、異なる方法で組み合わせ、かつ／または修正して、さらに別の実施形態または容認可能な実施例を形成することができることを理解されよう。こうしたすべての修正および変形は、本開示の範囲内で本明細書に含まれることが意図される。実際に、幅広い設計および手法が実行可能であり、それらは本開示の範囲内である。本明細書に開示される特徴、構造、または工程は本質的であるか、または不可欠である。さらに、例示的な実施形態が本明細書に記載されているが、同等の要素、修正、省略、（例えば、様々な実施形態にわたる態様の）組み合わせ、置換、応用、および／または変更を有する任意のおよびすべての実施形態の範囲が、本開示に基づいて当業者によって理解されるであろう。特定の実施形態が説明されてきたが、これらの実施形態は、単に例として提示されており、保護範囲を限定することを意図するものではない。
【０１１３】
特定の態様、実施形態、または実施例に関連して説明される特徴、材料、特性、または群は、このセクションまたは本明細書におけるその他の部分に記載される他の任意の態様、実施形態、または実施例に、これらと両立できないことがない限り、適用可能であることを理解されたい。（あらゆる特許請求の範囲、要約書、および図面を含む）本明細書において開示されるすべての特徴、および／またはそのように開示されるあらゆる方法もしくはプロセスのすべての工程は、そのような特徴および／または工程のうち少なくともいくつかが相互に排他的である組み合わせを除いて、任意の組み合わせで組み合わされてよい。本発明の保護するものは、前述の任意の実施形態の詳細に限定されない。保護するものは、本明細書（添付の任意の特許請求の範囲、要約書、および図面を含む）において開示される特性のうちの任意の新規なもの、もしくは任意の新規な組み合わせにおよび、または同様に開示される任意の方法またはプロセスの工程のうちの任意の新規なもの、もしくは任意の新規な組み合わせに及ぶ。
【０１１４】
特定の実施形態が説明されてきたが、これらの実施形態は、単に例として提示されており、保護範囲を限定することを意図するものではない。実際、本明細書に記載の新規な方法およびシステムは、様々な他の形態で具現化されてもよい。さらに、本明細書に記載の方法およびシステムの形態において、様々な省略、置換、および変形がなされ得る。一部の実施形態では、図示および／または開示されたプロセスにおいて実施される実際の工程は、図に示された工程とは異なり得ることを、当業者は認識するであろう。実施形態によっては、上述した工程のうちの特定の工程が除去される場合があり、別のものが加えられる場合もある。例えば、開示されるプロセスで実施される実際の工程および／または工程の順序は、図で示したものとは異なっていてもよい。実施形態によっては、上述した工程のうちの特定の工程が除去される場合があり、別のものが加えられる場合もある。例えば、図に示した様々な構成要素が、プロセッサ、コントローラ、ＡＳＩＣ、ＦＰＧＡ、および／または専用ハードウェア上のソフトウェアおよび／またはファームウェアとして実装されてもよい。プロセッサ、ＡＳＩＣ、ＦＰＧＡなどのハードウェア構成要素には論理回路が含まれ得る。
【０１１５】
さらに、別個の実装例の文脈において本開示で説明される特定の特徴を、単一の実装例で組み合わせて実現することもできる。逆に言えば、単一の実装例の文脈で説明される様々な特徴がまた、複数の実装例で別々に、または任意の適切な副組み合わせで実施され得る。さらに、特定の組み合わせに作用するように特徴を上述することができるが、一部の場合に、主張され得る組み合わせからの１つ以上の特徴は、組み合わせから切り離されることができ、組み合わせは、副組み合わせまたは副組み合わせの変形として主張され得る。
【０１１６】
さらに、動作が図面に示され、または特定の順序で本明細書で記述され得る一方で、こうした動作は、所望の結果を獲得するために、示される特定の順序でまたは連続的な順序で実行される、またはすべての動作が実施される必要はない。示されていない、または説明されていないその他の動作は、例示的な方法およびプロセスに組み込まれ得る。例えば、いずれかの説明された動作の前、後、同時に、またはその間で１つ以上の追加的動作が実施され得る。さらに、動作は、他の実装例で再構成または並べ替えられてもよい。一部の実施形態では、図示および／または開示されたプロセスにおいて実施される実際の工程は、図に示された工程とは異なり得ることを、当業者は認識するであろう。実施形態によっては、上述した工程のうちの特定の工程が除去される場合があり、別のものが加えられる場合もある。さらに、上記に開示された特定の実施形態の特徴および特性は、様々な方法で組み合わせることができ、さらなる実施形態を形成することができるが、そのすべてが本開示の範囲内に収まることになる。また、上述の実装例における様々なシステム構成要素の分離は、すべての実装例においてこうした分離を必要とするものと理解されるべきではなく、記述された構成要素およびシステムが一般的に単一製品で一体化されるか、または複数の製品に包装され得ることが理解されるべきである。
【０１１７】
本開示の目的のために、特定の態様、利点、および新規の特徴が本明細書に記載される。必ずしもそのような利点はすべて、任意の特定の実施形態に従って達成され得るわけではない。したがって、例えば、当業者であれば、本明細書に教示または示唆され得るものとして必ずしも他の利点を達成することなく、本明細書に教示されるように、本開示が１つの利点または一群の利点を達成する方法で具現化または実施され得ることを認識するであろう。
【０１１８】
「し得る（ｃａｎ）」、「できる（ｃｏｕｌｄ）」、「可能性がある（ｍｉｇｈｔ）」、または「場合がある（ｍａｙ）」などの条件付き言い回しは、別途具体的に記載されない限り、または使用される文脈の範囲内で別途解釈されない限り、特定の実施形態が、特定の特徴、要素、および／または工程を含む一方で、他の実施形態は含まないということの伝達を意図するのが通例である。したがって、こうした条件付き言い回しは、特徴、要素、および／もしくは工程が１つ以上の実施形態に多少なりとも必要とされるという示唆、またはこれらの特徴、要素、および／もしくは工程が特定の任意の実施形態に含まれているかどうか、もしくは該実施形態で実施されるべきかどうかを、ユーザ入力または命令の有無にかかわらず判定するための論理が、１つ以上の実施形態に必然的に含まれているという示唆を必ずしも意図するものではない。「含む（ｃｏｍｐｒｉｓｉｎｇ）」、「含む（ｉｎｃｌｕｄｉｎｇ）」、および「有する（ｈａｖｉｎｇ）」などの用語は、同義語であり、包含的に非限定様式で用いられ、追加の要素、特性、行為、および動作などを排除するものではない。また、用語「または（ｏｒ）」は、包括的な意味で（排他的な意味ではなく）用いられることで、例えば要素の列記をつなぐのに使用される場合、列記の要素のうちの１つ、一部、またはすべてを意味することになる。さらに、用語「各々」は、本明細書で使用される場合、通常の意味を有するのに加えて、用語「各々」が適用されている一連の要素の任意のサブセットも意味し得る。
【０１１９】
語句「Ｘ、Ｙ、およびＺのうちの少なくとも１つ」などの連言的言い回しは、別途具体的に記載されない限り、ある項目、用語などが、Ｘか、Ｙか、Ｚのいずれかであり得ることを示唆するのに一般的に用いられる文脈によって、別途解釈されるものである。したがって、こうした連言的言い回しは、特定の実施形態が、少なくとも１つのＸと、少なくとも１つＹと、少なくとも１つのＺとを含むことを必要とするという示唆を必ずしも意図するものではない。
【０１２０】
本明細書で使用される「およそ」、「約」、「概して」、および「実質的に」という用語などの、本明細書で使用される程度を表す言い回しは、所望の機能を依然として果たすかまたは所望の結果をもたらす所定の値、量、または特性に近い値、量、または特性を表すものである。例えば、「およそ」、「約」、「概して」、および「実質的に」という用語は、所定の量の１０％未満以内、５％未満以内、１％未満以内、０．１％未満以内、および０．０１％未満以内の量を意味し得る。別の例として、特定の実施形態において、「概して平行」および「実質的に平行」という用語は、丁度平行である状態から１５度以下、１０度以下、５度以下、３度以下、１度以下、０．１度以下または別途ずれている値、量、または特性を意味する。
【０１２１】
本開示の範囲は、本節または本明細書の他の箇所における好ましい実施形態の特定の開示によって制限されることを意図するものではなく、本節または本明細書の他の箇所において提示されているか、またはこの後に提示される特許請求の範囲によって定義され得る。本特許請求の範囲の言い回しは、本特許請求の範囲で用いられている言い回しに基づいて広い意味で解釈されるべきであり、本明細書で説明されている例または本出願の手続きの間に説明される例に限定されるものではなく、それらの例は非排他的なものとして解釈されるべきである。
【図１】
2021520938.tif 000007
【図２Ａ】
2021520938.tif 000008
【図２Ｂ】
2021520938.tif 000009
【図３Ａ】
2021520938.tif 000010
【図３Ｂ】
2021520938.tif 000011
【図４Ａ】
2021520938.tif 000012
【図４Ｂ】
2021520938.tif 000013
【図５】
2021520938.tif 000014
【図６Ａ】
2021520938.tif 000015
【図６Ｂ】
2021520938.tif 000016
【図６Ｃ】
2021520938.tif 000017
【図６Ｄ】
2021520938.tif 000018
【図７−１】
2021520938.tif 000019
【図７−２】
2021520938.tif 000020
【図８Ａ】
2021520938.tif 000021
【図８Ｂ】
2021520938.tif 000022
【国際調査報告】
2021520938.tif 000023
2021520938.tif 000024
2021520938.tif 000025